(57)【特許請求の範囲】
【請求項１】
電流駆動型の発光部を有する表示素子が第１の方向と第２の方向とに２次元マトリクス状に配列されて成り、映像信号に基づいて画像を表示する表示パネル、及び、
入力信号の階調値を補正して映像信号として出力することによって、表示パネルが画像を表示する際の表示素子の輝度を補正する輝度補正部、
を備えており、
輝度補正部は、
発光期間のデューティ比が或るデューティ比に設定された状態で表示素子が映像信号に基づいて所定の単位時間の間動作したときの表示素子の輝度の経時変化と、発光期間のデューティ比が所定の基準デューティ比に設定された状態で表示素子が所定の基準階調値の映像信号に基づいて動作したと仮定したときの表示素子の輝度の経時変化とが等しくなる基準動作時間の値を計算する基準動作時間値計算部、
基準動作時間値計算部が計算した基準動作時間の値を表示素子毎に累積した累積基準動作時間値を保持する累積基準動作時間値保持部、
発光期間のデューティ比が所定の基準デューティ比に設定された状態で表示素子が所定の基準階調値の映像信号に基づいて動作したときの、表示素子の動作時間と表示素子の輝度の経時変化との関係を示す基準カーブを格納した基準カーブ格納部、
累積基準動作時間値保持部と基準カーブ格納部とを参照して表示素子の輝度の経時変化を補償するための階調値の補正量を計算し、各表示素子に対応した階調値の補正量を保持する階調補正量保持部、
階調補正量保持部に保持された階調値の補正量に基づいて、各表示素子に対応した入力信号の階調値を補正して映像信号として出力する映像信号生成部、
発光期間のデューティ比が所定の基準デューティ比に設定された状態で表示素子が各階調値の映像信号に基づいて動作して輝度の経時変化の程度が或る値に達するまでの各動作時間の値と、発光期間のデューティ比が所定の基準デューティ比に設定された状態で表示素子が所定の基準階調値の映像信号に基づいて動作して輝度の経時変化の程度が該或る値に達するまでの動作時間の値との比を動作時間換算係数として格納した動作時間換算係数格納部、及び、
発光期間のデューティ比が所定の基準デューティ比とは異なるデューティ比に設定されている状態で表示素子が各階調値の映像信号に基づいて動作して輝度の経時変化の程度が或る値に達するまでの各動作時間の値と、発光期間のデューティ比が所定の基準デューティ比に設定された状態で表示素子が所定の基準階調値の映像信号に基づいて動作して輝度の経時変化の程度が該或る値に達するまでの動作時間の値との比を第２の動作時間換算係数としたとき、第２の動作時間換算係数と動作時間換算係数との比をデューティ比加速係数として格納したデューティ比加速係数格納部、
を備えており、
基準動作時間値計算部は、
映像信号の階調値に対応した動作時間換算係数格納部の値と、動作時の発光期間のデューティ比に対応したデューティ比加速係数格納部の値とを参照し、単位時間の値にこれらの値を乗算することによって、基準動作時間の値を計算する、
表示装置。
【請求項２】
表示装置は、更に、温度センサを備えており、
動作時間換算係数格納部に格納されている動作時間換算係数は、所定の温度条件において表示素子が動作するときの動作時間換算係数であり、
輝度補正部は、更に、
所定の温度条件とは異なる温度条件において発光期間のデューティ比が所定の基準デューティ比に設定されている状態で表示素子が各階調値の映像信号に基づいて動作して輝度の経時変化の程度が或る値に達するまでの各動作時間の値と、所定の温度条件において発光期間のデューティ比が所定の基準デューティ比に設定されている状態で表示素子が所定の基準階調値の映像信号に基づいて動作して輝度の経時変化の程度が該或る値に達するまでの動作時間の値との比を第３の動作時間換算係数としたとき、第３の動作時間換算係数と動作時間換算係数との比を温度加速係数として格納した温度加速係数格納部、
を更に備えており、
基準動作時間値計算部は、
映像信号の階調値に対応した動作時間換算係数格納部の値と、動作時の発光期間のデューティ比に対応したデューティ比加速係数格納部の値と、温度センサの温度情報に対応した温度加速係数格納部の値とを参照し、単位時間の値にこれらの値を乗算することによって、基準動作時間の値を計算する、
請求項１に記載の表示装置。
【請求項３】
温度センサは、表示パネルに設置されている、
請求項２に記載の表示装置。
【請求項４】
発光部は、有機エレクトロルミネッセンス発光部から成る、
請求項１ないし請求項３のいずれか１項に記載の表示装置。
【請求項５】
電流駆動型の発光部を有する表示素子が第１の方向と第２の方向とに２次元マトリクス状に配列されて成り、映像信号に基づいて画像を表示する表示パネル、及び、
入力信号の階調値を補正して映像信号として出力することによって、表示パネルが画像を表示する際の表示素子の輝度を補正する輝度補正部、
を備えた表示装置を用いた表示装置の駆動方法において、
輝度補正部の動作に基づいて、入力信号の階調値を補正して映像信号として出力することによって、表示パネルが画像を表示する際の表示素子の輝度を補正する輝度補正ステップを有し、
輝度補正ステップは、
発光期間のデューティ比が或るデューティ比に設定された状態で表示素子が映像信号に基づいて所定の単位時間の間動作したときの表示素子の輝度の経時変化と、発光期間のデューティ比が所定の基準デューティ比に設定された状態で表示素子が所定の基準階調値の映像信号に基づいて動作したと仮定したときの表示素子の輝度の経時変化とが等しくなる基準動作時間の値を計算する基準動作時間値計算ステップ、
基準動作時間の値を表示素子毎に累積した累積基準動作時間値を保持する累積基準動作時間値保持ステップ、
累積基準動作時間値に基づいて、発光期間のデューティ比が所定の基準デューティ比に設定された状態で表示素子が所定の基準階調値の映像信号に基づいて動作したときの、表示素子の動作時間と表示素子の輝度の経時変化との関係を示す基準カーブを参照して表示素子の輝度の経時変化を補償するための階調値の補正量を計算し、各表示素子に対応した階調値の補正量を保持する階調補正量保持ステップ、
階調値の補正量に基づいて、各表示素子に対応した入力信号の階調値を補正して映像信号として出力する映像信号生成ステップ、
を備えており、
基準動作時間値計算ステップは、
発光期間のデューティ比が所定の基準デューティ比に設定された状態で表示素子が各階調値の映像信号に基づいて動作して輝度の経時変化の程度が或る値に達するまでの各動作時間の値と、発光期間のデューティ比が所定の基準デューティ比に設定された状態で表示素子が所定の基準階調値の映像信号に基づいて動作して輝度の経時変化の程度が該或る値に達するまでの動作時間の値との比を示す動作時間換算係数における映像信号の階調値に対応する値と、発光期間のデューティ比が所定の基準デューティ比とは異なるデューティ比に設定されている状態で表示素子が各階調値の映像信号に基づいて動作して輝度の経時変化の程度が或る値に達するまでの各動作時間の値と、発光期間のデューティ比が所定の基準デューティ比に設定された状態で表示素子が所定の基準階調値の映像信号に基づいて動作して輝度の経時変化の程度が該或る値に達するまでの動作時間の値との比を第２の動作時間換算係数としたとき、第２の動作時間換算係数と動作時間換算係数との比をデューティ比加速係数における動作時の発光期間のデューティ比に対応した値とを参照し、単位時間の値にこれらの値を乗算することによって、基準動作時間の値を計算する、
表示装置の駆動方法。
【発明の詳細な説明】
【技術分野】
【０００１】
本発明は、表示装置及び表示装置の駆動方法に関する。
【背景技術】
【０００２】
発光部を備えた表示素子、及び、係る表示素子を備えた表示装置が周知である。例えば、有機材料のエレクトロルミネッセンス（Electroluminescence：以下、ＥＬと略称する場合がある）を利用した有機エレクトロルミネッセンス発光部を備えた表示素子（以下、単に、有機ＥＬ表示素子と略称する場合がある）は、低電圧直流駆動による高輝度発光が可能な表示素子として注目されている。
【０００３】
液晶表示装置と同様に、例えば、有機ＥＬ表示素子を備えた表示装置（以下、単に、有機ＥＬ表示装置と略称する場合がある）においても、駆動方式として、単純マトリクス方式、及び、アクティブマトリクス方式が周知である。アクティブマトリクス方式は、構造が複雑となるといった欠点はあるが、画像の輝度を高いものとすることができる等の利点を有する。アクティブマトリクス方式により駆動される有機ＥＬ表示素子にあっては、発光層を含む有機層等から構成された発光部に加えて、発光部を駆動するための駆動回路を備えている。
【０００４】
有機エレクトロルミネッセンス発光部（以下、単に、発光部と略称する場合がある）を駆動するための回路として、例えば、２つのトランジスタと１つの容量部から構成された駆動回路（２Ｔｒ／１Ｃ駆動回路と呼ぶ）が、特開２００７−３１０３１１号公報（特許文献１）等から周知である。この２Ｔｒ／１Ｃ駆動回路は、図３に示すように、書込みトランジスタＴＲWと駆動トランジスタＴＲDの２つのトランジスタ、及び、１つの容量部Ｃ1から構成されている。
【０００５】
２Ｔｒ／１Ｃ駆動回路を備えた有機ＥＬ表示素子の動作の概要を説明する。図３２にタイミングチャートを示すように、［期間−ＴＰ（２）3］及び［期間−ＴＰ（２）5］において、閾値電圧キャンセル処理が行われる。次いで、［期間−ＴＰ（２）7］において書込み処理が行われ、その後、［期間−ＴＰ（２）8］において、駆動トランジスタＴＲDのドレイン領域からソース領域へと流れるドレイン電流Ｉdsが発光部ＥＬＰに流れる。基本的に、有機ＥＬ表示素子は、発光部ＥＬＰの発光効率と、発光部ＥＬＰに流れるドレイン電流Ｉdsの値との積に応じた強さで発光する。
【０００６】
尚、２Ｔｒ／１Ｃ駆動回路を備えた有機ＥＬ表示素子の動作については、後ほど、図３２の他、後述する図３３乃至図３８を参照して、詳しく説明する。
【０００７】
一般に、表示装置は、動作時間が長くなればなるほど、輝度が低下する。有機ＥＬ表示素子を用いた表示装置においても、発光部の発光効率の経時変化等により輝度の低下が観察される。従って、表示装置にあっては、同一のパターンを長時間表示させると、そのパターンに応じた輝度変化が観察されるといった所謂焼き付きが起こる場合がある。例えば、図４１の（Ａ）に示すように、有機ＥＬ表示装置の表示領域ＥＡの右上に文字を表示（白表示）し、文字以外の領域を黒表示とした状態で、長時間表示装置を動作させる。その後、表示領域ＥＡ全体を白表示とすると、図４１の（Ｂ）に示すように、表示領域ＥＡにおいて、右上の文字表示をした部分の領域の輝度が相対的に低くなり、不要なパターンとして視認される。このように、焼き付きが起こると、表示装置の表示品質は低下する。
【先行技術文献】
【特許文献】
【０００８】
【特許文献１】特開２００７−３１０３１１号公報
【発明の概要】
【発明が解決しようとする課題】
【０００９】
焼き付きによる表示装置の表示品質の低下は、焼き付きを生じた領域の表示素子を駆動する際に、焼き付きによる輝度低下を補償するように表示素子を制御することによって解決することができる。しかしながら、例えば、有機ＥＬ表示素子の発光部における発光効率が低下する程度は、表示する画像の輝度及び動作時間の履歴の他、表示素子の発光期間のデューティ比（例えば、１フレーム期間内において発光期間が占める割合）の履歴等によっても左右される。動作履歴に対する経時変化データを予め多数測定しておき、これらの経時変化データを格納したテーブル等を参照して焼き付きによる輝度低下を補償するように制御するといった方法では、制御のための回路規模が大きくなると共に、制御が複雑になるといった問題が生ずる。
【００１０】
従って、本発明の目的は、表示する画像の輝度の履歴、動作時間の履歴、及び、表示素子の発光期間のデューティ比の履歴等を個別にデータとして保存することなく、これらの履歴を反映して焼き付きによる輝度低下を補償することができる表示装置を提供し、あるいは又、これらの履歴を反映して焼き付きによる輝度低下を補償することができる表示装置の駆動方法を提供することにある。
【課題を解決するための手段】
【００１１】
上記の目的を達成するための本発明の表示装置は、
電流駆動型の発光部を有する表示素子が第１の方向と第２の方向とに２次元マトリクス状に配列されて成り、映像信号に基づいて画像を表示する表示パネル、及び、
入力信号の階調値を補正して映像信号として出力することによって、表示パネルが画像を表示する際の表示素子の輝度を補正する輝度補正部、
を備えており、
輝度補正部は、
発光期間のデューティ比が或るデューティ比に設定された状態で表示素子が映像信号に基づいて所定の単位時間の間動作したときの表示素子の輝度の経時変化と、発光期間のデューティ比が所定の基準デューティ比に設定された状態で表示素子が所定の基準階調値の映像信号に基づいて動作したと仮定したときの表示素子の輝度の経時変化とが等しくなる基準動作時間の値を計算する基準動作時間値計算部、
基準動作時間値計算部が計算した基準動作時間の値を表示素子毎に累積した累積基準動作時間値を保持する累積基準動作時間値保持部、
発光期間のデューティ比が所定の基準デューティ比に設定された状態で表示素子が所定の基準階調値の映像信号に基づいて動作したときの、表示素子の動作時間と表示素子の輝度の経時変化との関係を示す基準カーブを格納した基準カーブ格納部、
累積基準動作時間値保持部と基準カーブ格納部とを参照して表示素子の輝度の経時変化を補償するための階調値の補正量を計算し、各表示素子に対応した階調値の補正量を保持する階調補正量保持部、及び、
階調補正量保持部に保持された階調値の補正量に基づいて、各表示素子に対応した入力信号の階調値を補正して映像信号として出力する映像信号生成部、
を備えている。
【００１２】
また、上記の目的を達成するための本発明の表示装置の駆動方法は、
電流駆動型の発光部を有する表示素子が第１の方向と第２の方向とに２次元マトリクス状に配列されて成り、映像信号に基づいて画像を表示する表示パネル、及び、
入力信号の階調値を補正して映像信号として出力することによって、表示パネルが画像を表示する際の表示素子の輝度を補正する輝度補正部、
を備えた表示装置を用いた表示装置の駆動方法において、
輝度補正部の動作に基づいて、入力信号の階調値を補正して映像信号として出力することによって、表示パネルが画像を表示する際の表示素子の輝度を補正する輝度補正ステップを有し、
輝度補正ステップは、
発光期間のデューティ比が或るデューティ比に設定された状態で表示素子が映像信号に基づいて所定の単位時間の間動作したときの表示素子の輝度の経時変化と、発光期間のデューティ比が所定の基準デューティ比に設定された状態で表示素子が所定の基準階調値の映像信号に基づいて動作したと仮定したときの表示素子の輝度の経時変化とが等しくなる基準動作時間の値を計算する基準動作時間値計算ステップ、
基準動作時間の値を表示素子毎に累積した累積基準動作時間値を保持する累積基準動作時間値保持ステップ、
累積基準動作時間値に基づいて、発光期間のデューティ比が所定の基準デューティ比に設定された状態で表示素子が所定の基準階調値の映像信号に基づいて動作したときの、表示素子の動作時間と表示素子の輝度の経時変化との関係を示す基準カーブを参照して表示素子の輝度の経時変化を補償するための階調値の補正量を計算し、各表示素子に対応した階調値の補正量を保持する階調補正量保持ステップ、及び、
階調値の補正量に基づいて、各表示素子に対応した入力信号の階調値を補正して映像信号として出力する映像信号生成ステップ、
を備えている。
【発明の効果】
【００１３】
本発明の表示装置によれば、表示する画像の輝度の履歴、動作時間の履歴、及び、表示素子の発光期間のデューティ比の履歴等を個別にデータとして保存することなく、これらの履歴を反映して焼き付きによる輝度低下を補償することができる。また、本発明の表示装置の駆動方法によれば、表示する画像の輝度の履歴、動作時間の履歴、及び、表示素子の発光期間のデューティ比の履歴等を個別にデータとして保存することなく、これらの履歴を反映して焼き付きによる輝度低下を補償するように制御することができる。
【図面の簡単な説明】
【００１４】
【図１】図１は、実施例１の表示装置の概念図である。
【図２】図２は、輝度補正部の構成を説明するための、模式的なブロック図である。
【図３】図３は、表示パネルを構成する表示素子の等価回路図である。
【図４】図４は、表示装置を構成する表示パネルの一部分の模式的な一部断面図である。
【図５】図５は、図１に示す給電線ＰＳ１の電圧切り替え時期と表示素子の発光期間のデューティ比との関係を説明するための模式的なタイミングチャートである。
【図６】図６の（Ａ）は、表示素子の発光期間のデューティ比が値ＤＲMode0である状態で、初期状態の表示素子における映像信号電圧の値と表示素子の輝度の値との関係を説明するためのグラフである。図６の（Ｂ）は、表示素子の発光期間のデューティ比が値ＤＲMode0である状態で、経時変化を生じた表示素子における映像信号電圧の値と表示素子の輝度の値との関係を説明するためのグラフである。
【図７】図７は、表示パネルの温度条件が値ｔ１、表示素子の発光期間のデューティ比が値ＤＲMode0である状態で、種々の階調値の映像信号に基づいて表示素子を動作させたときの累積動作時間と、経時変化による表示素子の相対的な輝度変化との関係を説明するための模式的なグラフである。
【図８】図８は、表示パネルの温度条件が値ｔ１、表示素子の発光期間のデューティ比が値ＤＲMode0である状態で、映像信号の階調値を変えながら表示素子を動作させたときの、動作時間と経時変化による表示素子の相対的な輝度変化との関係を説明するための模式的なグラフである。
【図９】図９は、図８において符号ＣＬ1，ＣＬ2，ＣＬ3，ＣＬ4，ＣＬ5，ＣＬ6で表したグラフの部分と、図７に示すグラフとの対応関係を説明するための模式的な図である。
【図１０】図１０は、表示パネルの温度条件が値ｔ１、表示素子の発光期間のデューティ比が値ＤＲMode0である状態で、映像信号に基づいて表示素子を動作させたときに、経時変化による表示素子の相対的な輝度変化が或る値「β」となるまでの累積動作時間と、映像信号の階調値との関係を説明するための模式的なグラフである。
【図１１】図１１は、図８に示す動作履歴に基づいて表示素子を動作させたときの動作時間を、所定の基準階調値の映像信号に基づいて動作させたと仮定したときの基準動作時間に換算する方法を説明するための模式的なグラフである。
【図１２】図１２は、表示パネルの温度条件が値ｔ１、表示素子の発光期間のデューティ比が値ＤＲMode0である状態における、映像信号の階調値と動作時間換算係数との関係を示すグラフである。
【図１３】図１３は、表示パネルの温度条件が値ｔ１、表示素子の発光期間のデューティ比が値ＤＲMode1（＜ＤＲMode0）である状態で、映像信号に基づいて表示素子を動作させたときに、経時変化による表示素子の相対的な輝度変化が或る値「β」となるまでの累積動作時間と、映像信号の階調値との関係を説明するための模式的なグラフである。
【図１４】図１４は、図１３に示す各階調値に対応するグラフに、図１０に示す階調値５００のグラフを重ねたグラフである。
【図１５】図１５は、表示パネルの温度条件が値ｔ１、発光期間のデューティ比が値ＤＲMode0，ＤＲMode1，ＤＲMode2，ＤＲMode3であるときの動作時間換算係数を示したグラフである。
【図１６】図１６は、表示パネルの温度条件が値ｔ１である状態における、デューティ比とデューティ比加速係数との関係を示すグラフである。
【図１７】図１７は、図２に示す動作時間換算係数格納部に格納されているデータを説明するための模式的なグラフである。
【図１８】図１８は、図２に示すデューティ比加速係数格納部に格納されているデータを説明するための模式的なグラフである。
【図１９】図１９は、図２に示す累積基準動作時間値保持部に保持されるデータを説明するための模式図である。
【図２０】図２０は、図２に示す基準カーブ格納部に格納されているデータを説明するための模式的なグラフである。
【図２１】図２１は、図２に示す階調補正量保持部を構成する階調補正量計算部の動作を説明するための模式的なグラフである。
【図２２】図２２は、図２に示す階調補正量保持部を構成する階調補正量格納部に保持されるデータを説明するための模式図である。
【図２３】図２３は、実施例２の表示装置の概念図である。
【図２４】図２４は、輝度補正部の構成を説明するための、模式的なブロック図である。
【図２５】図２５は、表示パネルを構成する表示素子の等価回路図である。
【図２６】図２６は、表示パネルの温度条件が或る値ｔ２（但し、ｔ２＞ｔ１）、表示素子の発光期間のデューティ比が値ＤＲMode0である状態で、映像信号に基づいて表示素子を動作させたときに、経時変化による表示素子の相対的な輝度変化が或る値「β」となるまでの累積動作時間と、映像信号の階調値との関係を説明するための模式的なグラフである。
【図２７】図２７は、図２６に示す各階調値に対応するグラフに、図１０に示す階調値５００のグラフを重ねたグラフである。
【図２８】図２８は、表示素子の発光期間のデューティ比が値ＤＲMode0である場合に、表示パネルの温度条件が４０°Ｃであるときと、表示パネルの温度条件が５０°Ｃであるときの動作時間換算係数を示したグラフである。
【図２９】図２９は、表示パネルの動作時の温度条件と温度加速係数との関係を説明するための模式的なグラフである。
【図３０】図３０は、図２４に示す温度加速係数格納部に格納されているデータを説明するための模式的なグラフである。
【図３１】図３１は、図２４に示す累積基準動作時間値保持部に格納されているデータを説明するための模式的なグラフである。
【図３２】図３２は、実施例１あるいは実施例２の表示装置の駆動方法における表示素子の動作を説明するためのタイミングチャートの模式図である。
【図３３】図３３の（Ａ）及び（Ｂ）は、表示素子の駆動回路を構成する各トランジスタの導通状態／非導通状態等を模式的に示す図である。
【図３４】図３４の（Ａ）及び（Ｂ）は、図３３の（Ｂ）に引き続き、表示素子の駆動回路を構成する各トランジスタの導通状態／非導通状態等を模式的に示す図である。
【図３５】図３５の（Ａ）及び（Ｂ）は、図３４の（Ｂ）に引き続き、表示素子の駆動回路を構成する各トランジスタの導通状態／非導通状態等を模式的に示す図である。
【図３６】図３６の（Ａ）及び（Ｂ）は、図３５の（Ｂ）に引き続き、表示素子の駆動回路を構成する各トランジスタの導通状態／非導通状態等を模式的に示す図である。
【図３７】図３７の（Ａ）及び（Ｂ）は、図３６の（Ｂ）に引き続き、表示素子の駆動回路を構成する各トランジスタの導通状態／非導通状態等を模式的に示す図である。
【図３８】図３８は、図３７の（Ｂ）に引き続き、表示素子の駆動回路を構成する各トランジスタの導通状態／非導通状態等を模式的に示す図である。
【図３９】図３９は、駆動回路を含む表示素子の等価回路図である。
【図４０】図４０は、駆動回路を含む表示素子の等価回路図である。
【図４１】図４１の（Ａ）及び（Ｂ）は、表示装置における焼き付きを説明するための、表示領域の模式的な正面図である。
【発明を実施するための形態】
【００１５】
以下、図面を参照して、実施例に基づき本発明を説明するが、本発明は実施例に限定されるものではなく、実施例における種々の数値や材料は例示である。尚、説明は、以下の順序で行う。
１．本発明の表示装置及び表示装置の駆動方法、全般に関する説明
２．実施例１（表示装置及び表示装置の駆動方法）
３．実施例２（表示装置及び表示装置の駆動方法）
【００１６】
［本発明の表示装置及び表示装置の駆動方法、全般に関する説明］
デジタル制御を行うといった観点からは、入力信号及び映像信号の値は２の冪乗で表される段階で値が変化するといった構成が好ましい。本発明の表示装置及び表示装置の駆動方法にあっては、経時変化を補償するために、映像信号の階調値が入力信号の階調値の最大値を超える値となる場合が生じ得る。
【００１７】
例えば入力信号において８ビットの階調制御を行い、映像信号は８ビットを超える階調制御を行う構成とすることができる。一例として、映像信号を９ビット制御とするといった構成を挙げることができるが、これに限るものではない。
【００１８】
本発明の表示装置、あるいは、本発明の表示装置の駆動方法に用いられる表示装置（以下、これらを総称して、単に、本発明の表示装置と呼ぶ場合がある）にあっては、
輝度補正部は、
発光期間のデューティ比が所定の基準デューティ比に設定された状態で表示素子が各階調値の映像信号に基づいて動作して輝度の経時変化の程度が或る値に達するまでの各動作時間の値と、発光期間のデューティ比が所定の基準デューティ比に設定された状態で表示素子が所定の基準階調値の映像信号に基づいて動作して輝度の経時変化の程度が該或る値に達するまでの動作時間の値との比を動作時間換算係数として格納した動作時間換算係数格納部、及び、
発光期間のデューティ比が所定の基準デューティ比とは異なるデューティ比に設定されている状態で表示素子が各階調値の映像信号に基づいて動作して輝度の経時変化の程度が或る値に達するまでの各動作時間の値と、発光期間のデューティ比が所定の基準デューティ比に設定された状態で表示素子が所定の基準階調値の映像信号に基づいて動作して輝度の経時変化の程度が該或る値に達するまでの動作時間の値との比を第２の動作時間換算係数としたとき、第２の動作時間換算係数と動作時間換算係数との比をデューティ比加速係数として格納したデューティ比加速係数格納部、
を更に備えており、
基準動作時間値計算部は、
映像信号の階調値に対応した動作時間換算係数格納部の値と、動作時の発光期間のデューティ比に対応したデューティ比加速係数格納部の値とを参照し、単位時間の値にこれらの値を乗算することによって、基準動作時間の値を計算する構成とすることができる。
【００１９】
上述した好ましい構成を含む本発明の表示装置にあっては、単位時間が短いほど、焼き付きの補償の精度が向上するが、輝度補正部における処理の負担も増加する。単位時間は表示装置の仕様に応じて適宜設定すればよい。
【００２０】
例えば、表示フレームレートの逆数で与えられる時間、換言すれば、所謂１フレーム期間が占める時間を単位時間とすることができる。あるいは又、所定の数のフレーム期間を纏めた期間が占める時間を単位時間とすることができる。尚、後者の構成にあっては、単位時間において、１つの表示素子に種々の階調値の映像信号が印加される。この場合には、例えば、単位時間の始期のフレーム期間における階調値のみ参照するといった構成とすればよい。
【００２１】
上述した好ましい構成の本発明の表示装置にあっては、
表示装置は、更に、温度センサを備えており、
動作時間換算係数格納部に格納されている動作時間換算係数は、所定の温度条件において表示素子が動作するときの動作時間換算係数であり、
輝度補正部は、更に、
所定の温度条件とは異なる温度条件において発光期間のデューティ比が所定の基準デューティ比に設定されている状態で表示素子が各階調値の映像信号に基づいて動作して輝度の経時変化の程度が或る値に達するまでの各動作時間の値と、所定の温度条件において発光期間のデューティ比が所定の基準デューティ比に設定されている状態で表示素子が所定の基準階調値の映像信号に基づいて動作して輝度の経時変化の程度が該或る値に達するまでの動作時間の値との比を第３の動作時間換算係数としたとき、第３の動作時間換算係数と動作時間換算係数との比を温度加速係数として格納した温度加速係数格納部、
を更に備えており、
基準動作時間値計算部は、
映像信号の階調値に対応した動作時間換算係数格納部の値と、動作時の発光期間のデューティ比に対応したデューティ比加速係数格納部の値と、温度センサの温度情報に対応した温度加速係数格納部の値とを参照し、単位時間の値にこれらの値を乗算することによって、基準動作時間の値を計算する構成とすることができる。
【００２２】
この場合において、温度センサの設置箇所は表示装置の仕様に応じて適宜決めればよいが、表示素子の温度条件を観測するといった観点からは、基本的には、温度センサを表示パネルに設置することが好ましい。温度センサの数は、表示装置の設計に応じて適宜決定すればよい。表示装置の動作時に表示パネルの温度条件がパネル全体で略同一であるような場合には、表示装置の構成の簡略化等といった観点から、温度センサを１つ設置する構成が好ましい。一方、表示パネルの上下あるいは左右で温度条件が異なるといった場合には、温度センサを複数設置し、各温度センサの値に基づいて制御を行うといった構成が好ましい。
【００２３】
温度センサは、接触型であってもよいし、非接触型であってもよい。温度センサの構成は特に限定するものではなく、サーミスタや、半導体素子の温度特性を利用した半導体センサといった周知の温度センサを用いることができる。温度センサが表示パネルとは独立したものである場合、表示パネルの表示領域の外側に温度センサを設置することが好ましい。尚、表示パネルの裏面側の表示領域に対応する部分に温度センサを設置するといった構成とすることもできる。一方、表示素子を構成する半導体素子（例えば、発光部を駆動する駆動回路を構成するトランジスタ）と同種類の半導体素子を用いて温度センサを構成するといった場合には、表示パネルの表示領域を囲む部分に温度センサが設置されている構成とすることができるし、あるいは又、表示素子内に温度センサが設置されている構成とすることもできる。
【００２４】
上述した各種の好ましい構成を含む本発明の表示装置において、輝度補正部を構成する、基準動作時間値計算部、累積基準動作時間値保持部、基準カーブ格納部、階調補正量保持部及び映像信号生成部、並びに、動作時間換算係数格納部、デューティ比加速係数格納部及び温度加速係数格納部は、周知の回路素子等を用いて構成することができる。後述する電源部、走査回路及び信号出力回路等の各種の回路についても同様である。
【００２５】
上述した各種の好ましい構成を含む本発明の表示装置は、所謂モノクロ表示の構成であってもよいし、カラー表示の構成であってもよい。
【００２６】
カラー表示の構成とする場合には、１つの画素は複数の副画素から成る構成、具体的には、１つの画素は、赤色発光副画素、緑色発光副画素、及び、青色発光副画素の３つの副画素から成る構成とすることができる。更には、これらの３種の副画素に更に１種類あるいは複数種類の副画素を加えた１組（例えば、輝度向上のために白色光を発光する副画素を加えた１組、色再現範囲を拡大するために補色を発光する副画素を加えた１組、色再現範囲を拡大するためにイエローを発光する副画素を加えた１組、色再現範囲を拡大するためにイエロー及びシアンを発光する副画素を加えた１組）から構成することもできる。
【００２７】
表示装置の画素（ピクセル）の値として、ＶＧＡ（６４０，４８０）、Ｓ−ＶＧＡ（８００，６００）、ＸＧＡ（１０２４，７６８）、ＡＰＲＣ（１１５２，９００）、Ｓ−ＸＧＡ（１２８０，１０２４）、Ｕ−ＸＧＡ（１６００，１２００）、ＨＤ−ＴＶ（１９２０，１０８０）、Ｑ−ＸＧＡ（２０４８，１５３６）の他、（１９２０，１０３５）、（７２０，４８０）、（１２８０，９６０）等、画像表示用解像度の幾つかを例示することができるが、これらの値に限定するものではない。
【００２８】
本発明の表示装置にあっては、表示素子を構成する電流駆動型の発光部として、有機エレクトロルミネッセンス発光部、ＬＥＤ発光部、半導体レーザ発光部等を挙げることができる。これらの発光部は、周知の材料や方法を用いて構成することができる。平面型の表示装置を構成する観点からは、中でも、発光部は有機エレクトロルミネッセンス発光部から成る構成が好ましい。有機エレクトロルミネッセンス発光部は、いわゆる上面発光型であってもよいし、下面発光型であってもよい。有機エレクトロルミネッセンス発光部は、アノード電極、正孔輸送層、発光層、電子輸送層、カソード電極等から構成することができる。
【００２９】
表示パネルを構成する表示素子は、或る平面内に形成され（例えば、支持体上に形成され）ており、発光部は、例えば、層間絶縁層を介して、発光部を駆動する駆動回路の上方に形成されている。
【００３０】
発光部を駆動する駆動回路を構成するトランジスタとして、例えば、ｎチャネル型の薄膜トランジスタ（ＴＦＴ）を挙げることができる。駆動回路を構成するトランジスタは、エンハンスメント型であってもよいし、デプレッション型であってもよい。ｎチャネル型のトランジスタにあってはＬＤＤ構造（Lightly Doped Drain構造）が形成されていてもよい。場合によっては、ＬＤＤ構造は非対称に形成されていてもよい。例えば、駆動トランジスタに大きな電流が流れるのは表示素子の発光時であるので、発光時においてドレイン領域となる一方のソース／ドレイン領域にのみＬＤＤ構造を形成した構成とすることもできる。尚、例えば、ｐチャネル型の薄膜トランジスタを用いてもよい。
【００３１】
駆動回路を構成する容量部は、一方の電極、他方の電極、及び、これらの電極に挟まれた誘電体層から構成することができる。駆動回路を構成する上述したトランジスタ及び容量部は、或る平面内に形成され（例えば、支持体上に形成され）、発光部は、例えば、層間絶縁層を介して、駆動回路を構成するトランジスタ及び容量部の上方に形成されている。また、駆動トランジスタの他方のソース／ドレイン領域は、発光部の一端（発光部に備えられたアノード電極等）に、例えば、コンタクトホールを介して接続されている。尚、半導体基板等にトランジスタを形成した構成であってもよい。
【００３２】
支持体や後述する基板の構成材料として、高歪点ガラス、ソーダガラス（Ｎａ2Ｏ・ＣａＯ・ＳｉＯ2）、硼珪酸ガラス（Ｎａ2Ｏ・Ｂ2Ｏ3・ＳｉＯ2）、フォルステライト（２ＭｇＯ・ＳｉＯ2）、鉛ガラス（Ｎａ2Ｏ・ＰｂＯ・ＳｉＯ2）等のガラス材料の他、可撓性を有する高分子材料、例えば、ポリエーテルスルホン（ＰＥＳ）やポリイミド、ポリカーボネート（ＰＣ）、ポリエチレンテレフタレート（ＰＥＴ）に例示される高分子材料を例示することができる。尚、支持体や基板の表面に各種のコーティングが施されていてもよい。支持体と基板の構成材料は、同じであってもよいし異なっていてもよい。可撓性を有する高分子材料から成る支持体及び基板を用いれば、可撓性を有する表示装置を構成することができる。
【００３３】
表示装置にあっては、走査線、データ線、給電線等の各種の配線は、周知の構成や構造とすることができる。
【００３４】
１つのトランジスタの有する２つのソース／ドレイン領域において、「一方のソース／ドレイン領域」という用語を、電源側に接続されたソース／ドレイン領域といった意味において使用する場合がある。また、トランジスタが導通状態にあるとは、ソース／ドレイン領域間にチャネルが形成されている状態を意味する。係るトランジスタの一方のソース／ドレイン領域から他方のソース／ドレイン領域に電流が流れているか否かは問わない。一方、トランジスタが非導通状態にあるとは、ソース／ドレイン領域間にチャネルが形成されていない状態を意味する。また、ソース／ドレイン領域は、不純物を含有したポリシリコンやアモルファスシリコン等の導電性物質から構成することができるだけでなく、金属、合金、導電性粒子、これらの積層構造、有機材料（導電性高分子）から成る層から構成することができる。
【００３５】
本明細書における各種の式に示す条件は、式が数学的に厳密に成立する場合の他、式が実質的に成立する場合にも満たされる。式の成立に関し、表示素子や表示装置の設計上あるいは製造上生ずる種々のばらつきの存在は許容される。
【００３６】
以下の説明で用いるタイミングチャートにおいて、各期間を示す横軸の長さ（時間長）は模式的なものであり、各期間の時間長の割合を示すものではない。縦軸においても同様である。また、タイミングチャートにおける波形の形状も模式的なものである。
【実施例１】
【００３７】
実施例１は、本発明の表示装置及び表示装置の駆動方法に関する。
【００３８】
図１は、実施例１の表示装置１の概念図である。実施例１の表示装置１は、電流駆動型の発光部を有する表示素子１０が第１の方向と第２の方向とに２次元マトリクス状に配列されて成り、映像信号ＶＤSigに基づいて画像を表示する表示パネル２０、及び、入力信号ｖＤSigの階調値を補正して映像信号ＶＤSigとして出力することによって、表示パネル２０が画像を表示する際の表示素子１０の輝度を補正する輝度補正部１１０を備えている。実施例１では、発光部は有機エレクトロルミネッセンス発光部から成る。
【００３９】
表示素子１０は、第１の方向（図１においてＸ方向、以下、行方向と呼ぶ場合がある）にＮ個、第２の方向（図１においてＹ方向、以下、列方向と呼ぶ場合がある）にＭ個、合計Ｎ×Ｍ個の、２次元マトリクス状に配列されている。表示素子１０の行数はＭであり、各行を構成する表示素子１０の数はＮである。尚、図１においては、３×３個の表示素子１０を図示しているが、これは、あくまでも例示に過ぎない。
【００４０】
表示パネル２０は、更に、走査回路１０１に接続され、第１の方向に延びる複数（Ｍ本）の走査線ＳＣＬ、信号出力回路１０２に接続され、第２の方向に延びる複数（Ｎ本）のデータ線ＤＴＬ、及び、電源部１００に接続され、第１の方向に延びる複数（Ｍ本）の給電線ＰＳ１を備えている。第ｍ行目（但し、ｍ＝１，２・・・，Ｍ）の表示素子１０は、第ｍ番目の走査線ＳＣＬm、及び、第ｍ番目の給電線ＰＳ１mに接続されており、１つの表示素子行を構成する。また、第ｎ列目（但し、ｎ＝１，２・・・，Ｎ）の表示素子１０は、第ｎ番目のデータ線ＤＴＬnに接続されている。
【００４１】
電源部１００及び輝度補正部１１０には、表示素子１０の発光期間のデューティ比（例えば、１フレーム期間内において発光期間が占める割合）を設定するためのデューティ比設定信号ｄＲModeが外部から供給される。尚、「発光期間のデューティ比」については、後ほど図５を参照して詳しく説明する。
【００４２】
デューティ比設定信号ｄＲModeは、画像表示のモードを、通常の表示モードあるいはシネマモード等に切り替える信号であり、例えば画像観察者の選択により適宜１つの値に設定される。
【００４３】
発光期間のデューティ比を変えることによって、画像の階調表現に影響を与えることなく、画面全体の明るさを調整することができる。具体的には、発光期間のデューティ比が小さくなるほど画面全体が暗くなり、低照度の環境下における観察に適した画像を表示することができる。
【００４４】
説明の都合上、デューティ比設定信号ｄＲModeは、ｄＲMode0，ｄＲMode1，ｄＲMode2，ｄＲMode3の４通りに切り替えが可能（２ビットの信号）であるとする。また、デューティ比設定信号ｄＲModeがｄＲMode0であるときが通常の表示モードであり、このときの表示素子１０の発光期間のデューティ比は例えば０．８であるとする。尚、また、デューティ比設定信号ｄＲModeがｄＲMode1，ｄＲMode2，ｄＲMode3であるときがシネマモードであり、このときの表示素子１０の発光期間のデューティ比は、例えば、信号ｄＲMode1のとき０．４、信号ｄＲMode2のとき０．３，信号ｄＲMode3のとき０．２であるとする。
【００４５】
また、デューティ比設定信号ｄＲModeに対応する発光期間のデューティ比を符号ＤＲModeで表す。上述した例では、デューティ比ＤＲMode0＝０．８、デューティ比ＤＲMode1＝０．４、デューティ比ＤＲMode2＝０．３、デューティ比ＤＲMode3＝０．２である。
【００４６】
尚、デューティ比設定信号ｄＲModeの切り替え数は、４通りに限定するものではない。また、上述したデューティ比ＤＲModeの値も、上述した値に限定するものではない。これらは、表示装置の設計に応じて適宜設定すればよい。
【００４７】
電源部１００は、デューティ比設定信号ｄＲModeの値に応じて、図１に示す給電線ＰＳ１における電圧切り替えのタイミングを変えて、発光期間のデューティ比が上述した各値となるように制御する。
【００４８】
電源部１００及び走査回路１０１の構成や構造は、周知の構成や構造とすることができる。信号出力回路１０２は、図示せぬＤ／Ａコンバータやラッチ回路を備えており、映像信号ＶＤSigの階調値に基づいた映像信号電圧ＶSigを発生すると共に、一行分の映像信号電圧ＶSigを保持し、Ｎ本のデータ線ＤＴＬに映像信号電圧ＶSigを供給する。また、信号出力回路１０２は図示せぬセレクタ回路を備えており、セレクタ回路の切り替えによって、データ線ＤＴＬに映像信号電圧ＶSigを供給する状態と、データ線ＤＴＬに後述する基準電圧ＶOfsを供給する状態とが切り替えられる。電源部１００、走査回路１０１、及び、信号出力回路１０２は、周知の回路素子等を用いて構成することができる。
【００４９】
実施例１の表示装置１は、複数の表示素子１０（例えば、Ｎ×Ｍ＝６４０×４８０）を備えている、モノクロ表示の表示装置である。各表示素子１０は画素を構成する。表示領域においては、行方向と列方向とに２次元マトリクス状に画素が配列されている。
【００５０】
走査回路１０１からの走査信号によって、表示装置１は行単位で線順次走査される。第ｍ行、第ｎ列目に位置する表示素子１０を、以下、第（ｎ，ｍ）番目の表示素子１０あるいは第（ｎ，ｍ）番目の画素と呼ぶ。第（ｎ，ｍ）番目の表示素子１０に対応する入力信号ｖＤSigをｖＤSig(n,m)と表し、輝度補正部１１０により補正された第（ｎ，ｍ）番目の表示素子１０に対応する映像信号ＶＤSigを、ＶＤSig(n,m)と表す。また、映像信号ＶＤSig(n,m)に基づいた映像信号電圧をＶSig(n,m)と表す。
【００５１】
上述したように、輝度補正部１１０は、入力信号ｖＤSigの階調値を補正して映像信号ＶＤSigとして出力する。
【００５２】
説明の都合上、入力信号ｖＤSigの階調ビット数は８ビットであるとする。入力信号ｖＤSigの階調値は、表示すべき画像の輝度に応じて、０乃至２５５のいずれかの値となる。ここでは、階調値が大きいほど表示すべき画像の輝度が高いものとする。
【００５３】
また、説明の都合上、映像信号ＶＤSigの階調ビット数は９ビットであるとする。映像信号ＶＤSigの階調値は、表示素子１０の経時変化の程度と入力信号ｖＤSigの階調値とに応じて、０乃至５１１のいずれかの値となる。また、初期状態の表示素子１０、換言すれば、経時変化による輝度変化が生じていない状態の表示素子１０については、輝度補正部１１０は、入力信号ｖＤSigの階調値と同じ階調値の映像信号ＶＤSigを供給するとする。
【００５４】
図２は、輝度補正部１１０の構成を説明するための、模式的なブロック図である。輝度補正部１１０の動作については、後ほど、後述する図１７乃至図２２を参照して詳しく説明する。ここでは、輝度補正部１１０の概要について説明する。
【００５５】
輝度補正部１１０は、基準動作時間値計算部１１２、累積基準動作時間値保持部１１５、基準カーブ格納部１１７、階調補正量保持部１１６、及び、映像信号生成部１１１を備えており、更に、動作時間換算係数格納部１１３、及び、デューティ比加速係数格納部１１４を備えている。これらは、演算回路や記憶装置（メモリ）等から構成されており、周知の回路素子等を用いて構成することができる。
【００５６】
基準動作時間値計算部１１２は、発光期間のデューティ比が或るデューティ比に設定された状態で表示素子１０が映像信号ＶＤSigに基づいて所定の単位時間の間動作したときの表示素子１０の輝度の経時変化と、発光期間のデューティ比が所定の基準デューティ比に設定された状態で表示素子１０が所定の基準階調値の映像信号ＶＤSigに基づいて動作したと仮定したときの表示素子１０の輝度の経時変化とが等しくなる基準動作時間の値を計算する。「所定の単位時間」、「所定の基準デューティ比」、及び、「所定の基準階調値」については、後述する。
【００５７】
動作時間換算係数格納部１１３には、発光期間のデューティ比が所定の基準デューティ比に設定された状態で表示素子１０が各階調値の映像信号ＶＤSigに基づいて動作して輝度の経時変化の程度が或る値に達するまでの各動作時間の値と、発光期間のデューティ比が所定の基準デューティ比に設定された状態で表示素子１０が所定の基準階調値の映像信号ＶＤSigに基づいて動作して輝度の経時変化の程度が該或る値に達するまでの動作時間の値との比が動作時間換算係数として格納されている。具体的には、動作時間換算係数格納部１１３には、図１７のグラフに示す関係を表す関数ｆCSCがテーブルとして予め格納されている。
【００５８】
動作時間換算係数格納部１１３は、所謂不揮発性メモリといった記憶装置から構成することができる。デューティ比加速係数格納部１１４や基準カーブ格納部１１７においても同様である。
【００５９】
デューティ比加速係数格納部１１４には、発光期間のデューティ比が所定の基準デューティ比とは異なるデューティ比に設定されている状態で表示素子１０が各階調値の映像信号ＶＤSigに基づいて動作して輝度の経時変化の程度が或る値に達するまでの各動作時間の値と、発光期間のデューティ比が所定の基準デューティ比に設定された状態で表示素子１０が所定の基準階調値の映像信号ＶＤSigに基づいて動作して輝度の経時変化の程度が該或る値に達するまでの動作時間の値との比を第２の動作時間換算係数としたとき、第２の動作時間換算係数と動作時間換算係数との比がデューティ比加速係数として格納されている。具体的には、デューティ比加速係数格納部１１４には、図１８のグラフに示す関数ｆDRCで与えられるデューティ比加速係数のテーブルが予め格納されている。
【００６０】
基準動作時間値計算部１１２は、映像信号ＶＤSigの階調値に対応した動作時間換算係数格納部１１３の値と、動作時の発光期間のデューティ比に対応したデューティ比加速係数格納部１１４の値とを参照し、単位時間の値にこれらの値を乗算することによって、基準動作時間の値を計算する。
【００６１】
累積基準動作時間値保持部１１５は、基準動作時間値計算部１１２が計算した基準動作時間の値を表示素子１０毎に累積した累積基準動作時間値を保持する。累積基準動作時間値は、表示装置１の動作履歴を反映した値であり、表示装置１の電源遮断等によってリセットされない。累積基準動作時間値保持部１１５は、各表示素子１０に対応した記憶領域を持つ書き換え可能な不揮発性の記憶装置から構成されており、図１９に示すデータを保持する。
【００６２】
基準カーブ格納部１１７には、発光期間のデューティ比が所定の基準デューティ比に設定された状態で表示素子１０が所定の基準階調値の映像信号ＶＤSigに基づいて動作したときの、表示素子１０の動作時間と表示素子１０の輝度の経時変化との関係を示す基準カーブが格納されている。具体的には、基準カーブ格納部１１７には、図２０に示す基準カーブを表す関数ｆREFがテーブルとして予め格納されている。
【００６３】
尚、上述した関数ｆCSC、関数ｆDRC、関数ｆREFは、同一仕様の表示装置を用いた実測等によるデータに基づき予め決定されている。
【００６４】
実施例１にあっては、上述した、「所定の単位時間」を所謂１フレーム期間が占める時間とし、「所定の基準デューティ比」を、デューティ比設定信号ｄＲMode0に対応するデューティ比ＤＲMode0（＝０．８）とし、「所定の基準階調値」を５００としたが、これに限定するものではない。これらは、表示装置の設計に応じて、適宜好ましい値を選択すればよい。
【００６５】
階調補正量保持部１１６は、累積基準動作時間値保持部１１５と基準カーブ格納部１１７とを参照して表示素子１０の輝度の経時変化を補償するための階調値の補正量を計算し、各表示素子１０に対応した階調値の補正量を保持する。階調補正量保持部１１６は、階調補正量計算部１１６Ａと階調補正量格納部１１６Ｂとから構成されている。階調補正量計算部１１６Ａは演算回路から構成されている。階調補正量格納部１１６Ｂは、各表示素子１０に対応した記憶領域を持ち、書き換え可能な記憶装置から構成されており、図２２に示すデータを保持する。
【００６６】
映像信号生成部１１１は、階調補正量保持部１１６に保持された階調値の補正量に基づいて、各表示素子１０に対応した入力信号ｖＤSigの階調値を補正して映像信号ＶＤSigとして出力する。
【００６７】
以上、輝度補正部１１０の概要を説明した。次いで、表示装置１の構成について説明する。
【００６８】
図３は、表示パネル２０を構成する表示素子１０の等価回路図である。
【００６９】
表示素子１０は、電流駆動型の発光部ＥＬＰと駆動回路１１を含んでいる。駆動回路１１は、ゲート電極とソース／ドレイン領域とを有する駆動トランジスタＴＲD、及び、容量部Ｃ1を少なくとも備えており、駆動トランジスタＴＲDのソース／ドレイン領域を介して発光部ＥＬＰに電流が流れる。後で図４を参照して詳しく説明するが、表示素子１０は、駆動回路１１と、この駆動回路１１に接続された発光部ＥＬＰとが積層された構造を有する。
【００７０】
駆動回路１１は、駆動トランジスタＴＲDに加えて、更に、書込みトランジスタＴＲWを備えている。駆動トランジスタＴＲDと書込みトランジスタＴＲWは、ｎチャネル型のＴＦＴから成る。尚、例えば書込みトランジスタＴＲWがｐチャネル型のＴＦＴから成る構成とすることもできる。また、駆動回路１１は、例えば後述する図３９や図４０に示すように、更に別のトランジスタを備えていてもよい。
【００７１】
容量部Ｃ1は、駆動トランジスタＴＲDのソース領域に対するゲート電極の電圧（所謂ゲート−ソース間電圧）を保持するために用いられる。この場合の「ソース領域」とは、発光部ＥＬＰが発光するときに「ソース領域」として働く側のソース／ドレイン領域を意味する。表示素子１０の発光状態においては、駆動トランジスタＴＲDの一方のソース／ドレイン領域（図３において給電線ＰＳ１に接続されている側）はドレイン領域として働き、他方のソース／ドレイン領域（発光部ＥＬＰの一端、具体的には、アノード電極に接続されている側）はソース領域として働く。容量部Ｃ1を構成する一方の電極と他方の電極は、それぞれ、駆動トランジスタＴＲDの他方のソース／ドレイン領域とゲート電極に接続されている。
【００７２】
書込みトランジスタＴＲWは、走査線ＳＣＬに接続されたゲート電極と、データ線ＤＴＬに接続された一方のソース／ドレイン領域と、駆動トランジスタＴＲDのゲート電極に接続された他方のソース／ドレイン領域とを有する。
【００７３】
駆動トランジスタＴＲDのゲート電極は、書込みトランジスタＴＲWの他方のソース／ドレイン領域と容量部Ｃ1の他方の電極とが接続された、第１ノードＮＤ1を構成する。駆動トランジスタＴＲDの他方のソース／ドレイン領域は、容量部Ｃ1の一方の電極と発光部ＥＬＰのアノード電極とが接続された、第２ノードＮＤ2を構成する。
【００７４】
発光部ＥＬＰの他端（具体的には、カソード電極）は、第２の給電線ＰＳ２に接続されている。尚、図１に示すように、第２の給電線ＰＳ２は、全ての表示素子１０において共通である。
【００７５】
発光部ＥＬＰのカソード電極には、第２の給電線ＰＳ２から、後述する所定の電圧ＶCatが印加される。発光部ＥＬＰの容量を符号ＣELで表す。また、発光部ＥＬＰの発光に必要とされる閾値電圧をＶth-ELとする。即ち、発光部ＥＬＰのアノード電極とカソード電極との間にＶth-EL以上の電圧が印加されると、発光部ＥＬＰは発光する。
【００７６】
発光部ＥＬＰは、例えば、アノード電極、正孔輸送層、発光層、電子輸送層、及び、カソード電極等から成る周知の構成や構造を有する。
【００７７】
図３に示す駆動トランジスタＴＲDは、表示素子１０の発光状態においては、飽和領域で動作するように電圧設定されており、以下の式（１）に従ってドレイン電流Ｉdsを流すように駆動される。上述したように、表示素子１０の発光状態においては、駆動トランジスタＴＲDの一方のソース／ドレイン領域はドレイン領域として働き、他方のソース／ドレイン領域はソース領域として働く。説明の都合上、以下、駆動トランジスタＴＲDの一方のソース／ドレイン領域を単にドレイン領域と呼び、他方のソース／ドレイン領域を単にソース領域と呼ぶ場合がある。尚、
μ  ：実効的な移動度
Ｌ  ：チャネル長
Ｗ  ：チャネル幅
Ｖgs：ソース領域に対するゲート電極の電圧
Ｖth：閾値電圧
Ｃox：（ゲート絶縁層の比誘電率）×（真空の誘電率）／（ゲート絶縁層の厚さ）
ｋ≡（１／２）・（Ｗ／Ｌ）・Ｃox
とする。
【００７８】
Ｉds＝ｋ・μ・（Ｖgs−Ｖth）2    （１）
【００７９】
このドレイン電流Ｉdsが発光部ＥＬＰを流れることで、表示素子１０の発光部ＥＬＰが発光する。更には、このドレイン電流Ｉdsの値の大小によって、表示素子１０の発光部ＥＬＰにおける光の強さが制御される。
【００８０】
書込みトランジスタＴＲWの導通状態／非導通状態は、書込みトランジスタＴＲWのゲート電極に接続された走査線ＳＣＬからの走査信号、具体的には、走査回路１０１からの走査信号によって制御される。
【００８１】
書込みトランジスタＴＲWの一方のソース／ドレイン領域には、データ線ＤＴＬから、信号出力回路１０２の動作に基づいて種々の信号や電圧が印加される。具体的には、信号出力回路１０２から、映像信号電圧ＶSigと所定の基準電圧ＶOfsが印加される。尚、映像信号電圧ＶSigや基準電圧ＶOfsに加えて更に別の電圧が印加されるといった構成であってもよい。
【００８２】
走査回路１０１からの走査信号によって、表示装置１は行単位で線順次走査される。各水平走査期間にあっては、データ線ＤＴＬには先ず基準電圧ＶOfsが印加され、その後、映像信号電圧ＶSigが供給される。
【００８３】
図４に表示装置１を構成する表示パネル２０の一部分の模式的な一部断面図を示す。駆動回路１１を構成するトランジスタＴＲD，ＴＲW及び容量部Ｃ1は支持体２１上に形成され、発光部ＥＬＰは、例えば、層間絶縁層４０を介して、駆動回路１１を構成するトランジスタＴＲD，ＴＲW及び容量部Ｃ1の上方に形成されている。また、駆動トランジスタＴＲDの他方のソース／ドレイン領域は、発光部ＥＬＰに備えられたアノード電極に、コンタクトホールを介して接続されている。尚、図４においては、駆動トランジスタＴＲDのみを図示する。その他のトランジスタは隠れて見えない。
【００８４】
より具体的には、駆動トランジスタＴＲDは、ゲート電極３１、ゲート絶縁層３２、半導体層３３に設けられたソース／ドレイン領域３５，３５、及び、ソース／ドレイン領域３５，３５の間の半導体層３３の部分が該当するチャネル形成領域３４から構成されている。一方、容量部Ｃ1は、他方の電極３６、ゲート絶縁層３２の延在部から構成された誘電体層、及び、一方の電極３７から成る。ゲート電極３１、ゲート絶縁層３２の一部、及び、容量部Ｃ1を構成する他方の電極３６は、支持体２１上に形成されている。駆動トランジスタＴＲDの一方のソース／ドレイン領域３５は配線３８（給電線ＰＳ１に対応する）に接続され、他方のソース／ドレイン領域３５は一方の電極３７に接続されている。駆動トランジスタＴＲD及び容量部Ｃ1等は、層間絶縁層４０で覆われており、層間絶縁層４０上に、アノード電極５１、正孔輸送層、発光層、電子輸送層、及び、カソード電極５３から成る発光部ＥＬＰが設けられている。尚、図面においては、正孔輸送層、発光層、及び、電子輸送層を１層５２で表した。発光部ＥＬＰが設けられていない層間絶縁層４０の部分の上には、第２層間絶縁層５４が設けられ、第２層間絶縁層５４及びカソード電極５３上には透明な基板２２が配置されており、発光層にて発光した光は、基板２２を通過して、外部に出射される。尚、一方の電極３７とアノード電極５１とは、層間絶縁層４０に設けられたコンタクトホールによって接続されている。また、カソード電極５３は、第２層間絶縁層５４、層間絶縁層４０に設けられたコンタクトホール５６，５５を介して、ゲート絶縁層３２の延在部上に設けられた配線３９（第２の給電線ＰＳ２に対応する）に接続されている。
【００８５】
図４に示す表示パネル２０を備えた表示装置１の製造方法を説明する。先ず、支持体２１上に、走査線ＳＣＬ等の各種配線、容量部Ｃ1を構成する電極、半導体層から成るトランジスタ、層間絶縁層、コンタクトホール等を、周知の方法により適宜形成する。尚、トランジスタ形成プロセスを利用して、表示素子１０が配置される表示領域を囲む部分に、温度検出用のトランジスタも併せて形成しておく。次いで、周知の方法により成膜及びパターニングを行い、マトリクス状に配列された発光部ＥＬＰを形成する。そして、上記工程を経た支持体２１と基板２２を対向させ周囲を封止した後、外部の回路との結線を行い、表示装置１を得ることができる。
【００８６】
次いで、実施例１の表示装置１の駆動方法（以下、単に、実施例１の駆動方法と略称する場合がある）について説明する。表示装置１の表示フレームレートをＦＲ（回／秒）とする。第ｍ行目に配列されたＮ個の画素のそれぞれを構成する表示素子１０が同時に駆動される。換言すれば、第１の方向に沿って配されたＮ個の表示素子１０にあっては、その発光／非発光のタイミングは、それらが属する行単位で制御される。表示装置１を行単位で線順次走査するときの１行当たりの走査期間、より具体的には、１水平走査期間（所謂１Ｈ）は、（１／ＦＲ）×（１／Ｍ）秒未満である。
【００８７】
以下の説明において、電圧あるいは電位の値を以下のとおりとするが、これは、あくまでも説明のための値であり、これらの値に限定されるものではない。
【００８８】
ＶSig  ：映像信号電圧
・・・０ボルト（階調値０）〜１０ボルト（階調値５１１）
ＶOfs  ：駆動トランジスタＴＲDのゲート電極（第１ノードＮＤ1）に印加する基準電圧
・・・０ボルト
ＶCC-H ：発光部ＥＬＰに電流を流すための駆動電圧
・・・２０ボルト
ＶCC-L ：駆動トランジスタＴＲDの他方のソース／ドレイン領域（第２ノードＮＤ2）の
電位を初期化するための初期化電圧
・・・−１０ボルト
Ｖth   ：駆動トランジスタＴＲDの閾値電圧
・・・３ボルト
ＶCat  ：発光部ＥＬＰのカソード電極に印加される電圧
・・・０ボルト
Ｖth-EL：発光部ＥＬＰの閾値電圧
・・・４ボルト
【００８９】
第（ｎ，ｍ）番目の表示素子１０の動作については、後ほど、図３２乃至図３８を参照して詳しく説明する。先ず、発光期間のデューティ比について説明する。
【００９０】
背景技術の欄においても説明したが、図３２に示す［期間−ＴＰ（２）3］及び［期間−ＴＰ（２）5］において、閾値電圧キャンセル処理が行われる。次いで、［期間−ＴＰ（２）7］において書込み処理が行われ、その後、［期間−ＴＰ（２）8］において、駆動トランジスタＴＲDのドレイン領域からソース領域へと流れるドレイン電流Ｉdsが発光部ＥＬＰに流れ、発光部ＥＬＰが発光する。
【００９１】
発光部ＥＬＰの発光は、［期間−ＴＰ（２）8］の終期（換言すれば、次のフレームにおける［期間−ＴＰ（２）-1］の終期）まで継続する。従って、［期間−ＴＰ（２）8］が、表示素子１０の発光期間に該当する。［期間−ＴＰ（２）8］の終期は、給電線ＰＳ１の電圧を駆動電圧ＶCC-Hから初期化電圧ＶCC-Lに切り替える時期によって定まる。
【００９２】
図５は、図１に示す給電線ＰＳ１の電圧切り替え時期と表示素子１０の発光期間のデューティ比との関係を説明するための模式的なタイミングチャートである。
【００９３】
図１に示す電源部１００は、デューティ比設定信号ｄＲModeの値に応じて、給電線ＰＳ１の電圧を駆動電圧ＶCC-Hから初期化電圧ＶCC-Lに切り替える時期、換言すれば、発光期間（＝［期間−ＴＰ（２）8］）の終期を変える。
【００９４】
表示フレームレートがＦＲ（回／秒）であるので、図５に示すように所謂１フレーム期間が占める時間を符号ＴFで表せば、
ＴF＝１／ＦＲ    （秒）
である。そして、デューティ比設定信号ｄＲModeが信号ｄＲMode0であるときの発光期間の長さを符号ＬＴMode0で表せば、デューティ比ＤＲMode0は、
ＤＲMode0＝ＬＴMode0／ＴF
である（図５の上側のタイミングチャート参照）。同様に、デューティ比設定信号ｄＲModeが信号ｄＲMode1であるときの発光期間の長さを符号ＬＴMode1で表せば、デューティ比ＤＲMode1は、
ＤＲMode1＝ＬＴMode1／ＴF
である（図５の下側のタイミングチャート参照）。尚、図５にはデューティ比設定信号ｄＲModeが信号ｄＲMode2，ｄＲMode3の場合は図示されていないが、上述した式を適宜読み替えればよいので説明を省略する。
【００９５】
図５のタイミングチャートから明らかなように、デューティ比ＤＲModeが大きくなるほど、１フレーム期間において表示素子１０が発光する期間は長くなり、画面全体が明るくなる。逆に、デューティ比ＤＲModeが小さくなるほど、１フレーム期間において表示素子１０が発光する期間は短くなり、画面全体が暗くなる。従って、発光期間のデューティ比を小さくすると、低照度の環境下における観察に適した画像を表示することができる。
【００９６】
以上、発光期間のデューティ比について説明した。次いで、表示素子１０の輝度の経時変化と、それを補償する方法の原理について説明する。
【００９７】
［期間−ＴＰ（２）8］において第（ｎ，ｍ）番目の表示素子１０の発光部ＥＬＰに流れるドレイン電流Ｉdsは、以下の式（５）のように表すことができる。尚、式（５）の導出については、後ほど、図３２乃至図３８を参照して詳しく説明する。
【００９８】
Ｉds＝ｋ・μ・（ＶSig_m−ＶOfs−ΔＶ）2    （５）
【００９９】
式（５）において、「ＶSig_m」は第（ｎ，ｍ）番目の表示素子１０の映像信号電圧ＶSig(n,m)を示しており、「ΔＶ」は、第２ノードＮＤ2の電位の上昇量ΔＶ（電位補正値）である。電位補正値ΔＶについては、後ほど、図３７の（Ｂ）を参照して詳しく説明する。
【０１００】
説明の都合上、ここでは、「ΔＶ」の値はＶSig_mに比べて充分小さいとする。上述したように、ＶOfsは０ボルトであるので、式（５）は、式（５’）のように変形することができる。
【０１０１】
Ｉds＝ｋ・μ・ＶSig_m2    （５’）
【０１０２】
式（５’）から明らかなように、ドレイン電流Ｉdsは、映像信号電圧ＶSig(n,m)の値の自乗に比例する。表示素子１０は、発光部ＥＬＰの発光効率と、発光部ＥＬＰに流れるドレイン電流Ｉdsの値との積に応じた強さで発光する。従って、映像信号電圧ＶSigの値は、基本的には、映像信号ＶＤSigの階調値の平方根に比例するように設定されている。
【０１０３】
図６の（Ａ）は、表示素子１０の発光期間のデューティ比が値ＤＲMode0である状態で、初期状態の表示素子１０における映像信号電圧ＶSigの値と表示素子１０の輝度の値ＬＵとの関係を説明するためのグラフである。
【０１０４】
図６の（Ａ）の横軸は、映像信号電圧ＶSigの値である。尚、横軸には、対応する映像信号ＶＤSigの階調値を［］で囲んで記載した。後述する図６（Ｂ）においても同様である。また、他の図面においても、［］で囲んだ数値は階調値を表す。
【０１０５】
上述した係数「ｋ」、係数「μ」、及び、発光部ＥＬＰの初期状態の発光効率等によって定まる係数をαIniと表せば、輝度ＬＵは、
ＬＵ＝（ＶＤSig−ΔＤ）×αIni
といった式で表すことができる。ここで、「ΔＤ」は、所謂黒レベルの階調であり、表示装置１の仕様や設計によって定まる。尚、ＶＤSig＜ΔＤの場合には、式においてＬＵの値が負となるが、この場合にはＬＵは「０」として扱う。
【０１０６】
説明の都合上、ここでは、ΔＤの値は０であるとする。この場合には、
ＬＵ＝ＶＤSig×αIni
と表すことができる。例えば、αIni＝１．２であるとすれば、初期状態の表示装置１において階調値５００の映像信号ＶＤSigに基づいて画像を表示する場合、画像の輝度は概ね６００ｃｄ／ｍ2となる。尚、実施例１にあっては、表示装置１の仕様上の輝度の最大値は、２５５×αIniである。
【０１０７】
図６の（Ｂ）は、表示素子１０の発光期間のデューティ比が値ＤＲMode0である状態で、経時変化を生じた表示素子１０における映像信号電圧ＶSigの値と表示素子１０の輝度の値との関係を説明するためのグラフである。
【０１０８】
経時変化を生じた表示素子１０は、初期状態よりも輝度が低下する。具体的には、図６の（Ｂ）に示すように、初期特性の特性カーブに対して、経時変化後の特性カーブは緩やかとなる。経時変化が進むほど、特性カーブはより緩やかなカーブとなる。
【０１０９】
上述した係数「ｋ」、係数「μ」、及び、発光部ＥＬＰの経時変化後の発光効率等によって定まる係数をαTdcと表せば、輝度ＬＵは、
ＬＵ＝ＶＤSig×αTdc
と表すことができる。また、αTdc＜αIniである。従って、表示素子１０の輝度の経時変化を補償するには、映像信号ＶＤSigの階調値をαIni／αTdc倍して、表示素子１０を動作させればよい。
【０１１０】
以上、表示素子１０の輝度の経時変化を補償する方法の原理について説明した。表示素子１０の輝度の経時変化の程度は、表示装置１に表示する画像の輝度及び動作時間の履歴の他、表示素子１０の発光期間のデューティ比の履歴等によっても左右される。表示素子１０の輝度の経時変化の程度は、表示素子１０毎に異なる。従って、表示装置１の焼き付きを補償するためには、表示素子１０毎に映像信号ＶＤSigの階調値を制御するといったことが必要になる。
【０１１１】
図２を参照して、表示装置１における焼き付きの補償の概略を説明する。各表示素子１０に対応した階調値の補正量を、累積基準動作時間値保持部１１５に保持されたデータに基づいて基準カーブ格納部１１７を参照して計算する。そして、その階調値の補正量に基づいて入力信号ｖＤSigの階調値を補正して映像信号ＶＤSigとして出力する。
【０１１２】
ここで、累積基準動作時間値保持部１１５には、基準動作時間値計算部１１２が計算した基準動作時間の値を累積した値が保持される。基準動作時間値計算部１１２は、映像信号ＶＤSigの階調値に対応した動作時間換算係数格納部１１３の値と、動作時の発光期間のデューティ比ＤＲModeに対応したデューティ比加速係数格納部１１４の値とを参照し、単位時間の値にこれらの値を乗算することによって、基準動作時間の値を計算する。
【０１１３】
以下、表示装置１における焼き付きの補償について詳しく説明する。
【０１１４】
先ず、図７乃至図１２を参照して、発光期間のデューティ比が一定であるとき（説明の都合上、基準デューティ比ＤＲMode0であるとする）の基準動作時間の計算方法について説明する。次いで、図１３乃至図１６を参照して、デューティ比が種々の値に切り替る場合の基準動作時間の計算方法について説明する。その後、図２、図１７乃至図２２を参照して、表示装置１の焼き付きを補償する駆動方法について説明する。
【０１１５】
図７は、表示パネル２０の温度条件が値ｔ１（例えば４０°Ｃ）、表示素子１０の発光期間のデューティ比が値ＤＲMode0である状態で、種々の階調値の映像信号ＶＤSigに基づいて表示素子１０を動作させたときの累積動作時間と、経時変化による表示素子１０の相対的な輝度変化との関係を説明するための模式的なグラフである。
【０１１６】
図７のグラフについて具体的に説明する。初期状態の表示装置１を用いて、表示領域に含まれる第１番目乃至第６番目の領域を、それぞれ、階調値５０，１００，２００，３００，４００，５００の映像信号ＶＤSigに基づいて動作させ、累積動作時間の長さと、第１番目乃至第６番目の各領域を構成する表示素子１０における初期状態の輝度に対する経時変化後の輝度の比とを測定した。そして、累積動作時間の長さを横軸の値とし、区分した各領域における表示素子１０について、初期状態の輝度に対する経時変化後の輝度の比を縦軸の値としてプロットした。尚、映像信号ＶＤSigの階調値を上述した各階調値に保持する必要があるため、図１に示す輝度補正部１１０は動作させずに、上述した各階調値の映像信号ＶＤSigを別回路で生成して信号出力回路１０２に供給して測定を行った。
【０１１７】
図７に示すグラフの縦軸の値は、上述した係数αTdcと係数αIniの比の値に該当する。グラフから明らかなように、映像信号ＶＤSigの階調値が大きいほど、初期状態の輝度に対する相対的な輝度変化の程度は大きくなる。また、累積動作時間が長くなるほど、初期状態の輝度に対する相対的な輝度変化の程度は大きくなる。
【０１１８】
従って、表示素子１０における輝度変化の程度は、表示素子１０が動作するときの映像信号ＶＤSigの階調値と、その動作時間の長さとによって左右される。映像信号ＶＤSigの階調値を変えて表示素子１０を動作させたときの経時変化について、図８を参照して説明する。
【０１１９】
図８は、表示パネル２０の温度条件が値ｔ１、表示素子１０の発光期間のデューティ比が値ＤＲMode0である状態で、映像信号ＶＤSigの階調値を変えながら表示素子１０を動作させたときの、動作時間と経時変化による表示素子１０の相対的な輝度変化との関係を説明するための模式的なグラフである。
【０１２０】
具体的には、図８に示すグラフは、初期状態の表示装置１を用いて、動作時間ＤＴ1の間は階調値５０、動作時間ＤＴ2の間は階調値１００、動作時間ＤＴ3の間は階調値２００、動作時間ＤＴ4の間は階調値３００、動作時間ＤＴ5の間は階調値４００、動作時間ＤＴ6の間は階調値５００の映像信号ＶＤSigに基づいて表示素子１０を動作さたときのデータに基づいて、累積動作時間の長さを横軸の値とし、表示素子１０における初期状態の輝度に対する経時変化後の輝度の比を縦軸の値としてプロットしたグラフである。尚、図７において説明したと同様に、図１に示す輝度補正部１１０は動作させずに、上述した各階調値の映像信号ＶＤSigを別回路で生成して信号出力回路１０２に供給して測定を行った。
【０１２１】
図８において、符号ＰＴ1，ＰＴ2，ＰＴ3，ＰＴ4，ＰＴ5，ＰＴ6は、その時点における累積動作時間の値を示す。時間ＰＴ6は、動作時間ＤＴ1乃至動作時間ＤＴ6の長さの総和となる。
【０１２２】
図８において、時間ＰＴ1，ＰＴ2，ＰＴ3，ＰＴ4，ＰＴ5，ＰＴ6に対応する縦軸の値を、それぞれ、ＲＡ（ＰＴ1），ＲＡ（ＰＴ2），ＲＡ（ＰＴ3），ＲＡ（ＰＴ4），ＲＡ（ＰＴ5），ＲＡ（ＰＴ6）と表す。また、図８に示すグラフについて、時間０から時間ＰＴ1までの部分、時間ＰＴ1から時間ＰＴ2までの部分、時間ＰＴ2から時間ＰＴ3までの部分、時間ＰＴ3から時間ＰＴ4までの部分、時間ＰＴ4から時間ＰＴ5までの部分、時間ＰＴ5から時間ＰＴ6までの部分を、符号ＣＬ1，ＣＬ2，ＣＬ3，ＣＬ4，ＣＬ5，ＣＬ6で表す。図８に示すグラフは、図７に示すグラフの一部を適宜繋げたものとして説明することができる。
【０１２３】
図９は、図８において符号ＣＬ1，ＣＬ2，ＣＬ3，ＣＬ4，ＣＬ5，ＣＬ6で表したグラフの部分と、図７に示すグラフとの対応関係を説明するための模式的な図である。
【０１２４】
図９に示すように、図８の符号ＣＬ1で表すグラフの部分は、図７における階調値５０のグラフにおいて、縦軸が１からＲＡ（ＰＴ1）となるまでの部分に対応する。符号ＣＬ2で表すグラフの部分は、図７における階調値１００のグラフにおいて、縦軸がＲＡ（ＰＴ1）からＲＡ（ＰＴ2）となるまでの部分に対応する。符号ＣＬ3で表すグラフの部分は、図７における階調値２００のグラフにおいて、縦軸がＲＡ（ＰＴ2）からＲＡ（ＰＴ3）となるまでの部分に対応する。
【０１２５】
同様に、図８の符号ＣＬ4で表すグラフの部分は、図７における階調値３００のグラフにおいて、縦軸がＲＡ（ＰＴ3）からＲＡ（ＰＴ4）となるまでの部分に対応する。符号ＣＬ5で表すグラフの部分は、図７における階調値４００のグラフにおいて、縦軸がＲＡ（ＰＴ4）からＲＡ（ＰＴ5）となるまでの部分に対応する。符号ＣＬ6で表すグラフの部分は、図７における階調値５００のグラフにおいて、縦軸がＲＡ（ＰＴ5）からＲＡ（ＰＴ6）となるまでの部分に対応する。
【０１２６】
一方、図８に示す時間ＰＴ6での表示素子１０の輝度の経時変化の程度は、時間０から時間ＰＴ6’まで階調値５００の映像信号ＶＤSigに基づいて表示素子１０を動作させたと仮定したときの、表示素子１０の輝度の経時変化の程度に相当する。尚、時間ＰＴ6’は、図７に示す階調値５００のグラフにおいて、縦軸の値がＲＡ（ＰＴ6）となるときの累積基準動作時間である。
【０１２７】
従って、図８に示す動作履歴に基づいて時間ＰＴ6’（累積基準動作時間）の値を計算することができれば、この時間ＰＴ6’の値と、図７に示す階調値５００のカーブとに基づいて、図８に示す時間ＰＴ6における表示素子１０の輝度の経時変化の程度を求めることができる。
【０１２８】
累積基準動作時間ＰＴ6’は、図８に示す動作時間ＤＴ1乃至動作時間ＤＴ6の長さと、映像信号ＶＤSigの階調値を反映した所定の係数（動作時間換算係数）とに基づいて、計算することができる。図１０乃至図１２を参照して、動作時間換算係数について説明する。
【０１２９】
図１０は、表示パネル２０の温度条件が値ｔ１、表示素子１０の発光期間のデューティ比が値ＤＲMode0である状態で、映像信号ＶＤSigに基づいて表示素子１０を動作させたときに、経時変化による表示素子１０の相対的な輝度変化が或る値「β」となるまでの累積動作時間と、映像信号ＶＤSigの階調値との関係を説明するための模式的なグラフである。各階調値に対応したグラフは、図７のグラフと同一である。尚、１＞β＞０である。
【０１３０】
図１０において、符号ＥＴt1_500_Mode0は、階調値が５００のときに縦軸が「β」となるときの累積動作時間を示し、符号ＥＴt1_400_Mode0は、階調値が４００のときに縦軸が値βとなるときの累積動作時間を示す。符号ＥＴt1_300_Mode0，ＥＴt1_200_Mode0，ＥＴt1_100_Mode0，ＥＴt1_50_Mode0も同様である。
【０１３１】
そして、累積動作時間ＥＴt1_500_Mode0，ＥＴt1_400_Mode0，ＥＴt1_300_Mode0，ＥＴt1_200_Mode0，ＥＴt1_100_Mode0，ＥＴt1_50_Mode0の相互間の比の関係は、「β」の値にかかわらず略一定である。逆に言えば、表示素子１０は、このような条件を満たすような経時変化をしていることが認められた。
【０１３２】
図１１は、図８に示す動作履歴に基づいて表示素子１０を動作させたときの動作時間を、所定の基準階調値、即ち、階調値５００の映像信号ＶＤSigに基づいて動作させたと仮定したときの基準動作時間に換算する方法を説明するための模式的なグラフである。
【０１３３】
図１１に示す基準動作時間ＤＴ1’，ＤＴ2’，ＤＴ3’，ＤＴ4’，ＤＴ5’，ＤＴ6’は、それぞれ、図８に示す動作時間ＤＴ1，ＤＴ2，ＤＴ3，ＤＴ4，ＤＴ5，ＤＴ6を換算したものに該当する。
【０１３４】
例えば、基準動作時間ＤＴ1’は、
ＤＴ1’＝ＤＴ1・（ＥＴt1_500_Mode0／ＥＴt1_50_Mode0）
といった計算で求めることができる。この（ＥＴt1_500_Mode0／ＥＴt1_50_Mode0）は、階調値５０における動作時間換算係数に該当する。
【０１３５】
同様に、基準動作時間ＤＴ2’は、
ＤＴ2’＝ＤＴ2・（ＥＴt1_500_Mode0／ＥＴt1_100_Mode0）
といった計算で求めることができる。この（ＥＴt1_500_Mode0／ＥＴt1_100_Mode0）は、階調値１００における動作時間換算係数に該当する。
【０１３６】
基準動作時間ＤＴ3’，ＤＴ4’，ＤＴ5’，ＤＴ6’についても、上述したと同様の計算で求めることができる。
【０１３７】
即ち、基準動作時間ＤＴ3’，ＤＴ4’，ＤＴ5’，ＤＴ6’は、それぞれ、ＤＴ3・（ＥＴt1_500_Mode0／ＥＴt1_200_Mode0），ＤＴ4・（ＥＴt1_500_Mode0／ＥＴt1_300_Mode0），ＤＴ5・（ＥＴt1_500_Mode0／ＥＴt1_400_Mode0），ＤＴ6・（ＥＴt1_500_Mode0／ＥＴt1_500_Mode0）といった計算で求めることができる。そして、階調値２００，３００，４００，５００における動作時間換算係数は、（ＥＴt1_500_Mode0／ＥＴt1_200_Mode0），（ＥＴt1_500_Mode0／ＥＴt1_300_Mode0），（ＥＴt1_500_Mode0／ＥＴt1_400_Mode0），（ＥＴt1_500_Mode0／ＥＴt1_500_Mode0）で与えられる。累積基準動作時間ＰＴ6’は、基準動作時間ＤＴ1’，ＤＴ2’，ＤＴ3’，ＤＴ4’，ＤＴ5’，ＤＴ6’の総和として求めることができる。
【０１３８】
動作時間換算係数は、階調値に応じて変化する。図１２は、表示パネル２０の温度条件が値ｔ１、表示素子１０の発光期間のデューティ比が値ＤＲMode0である状態における、映像信号ＶＤSigの階調値と動作時間換算係数との関係を示すグラフである。
【０１３９】
以上、発光期間のデューティ比が一定であるときの基準動作時間の計算方法について説明した。次いで、図１３乃至図１６を参照して、デューティ比が種々の値に切り替わる場合の基準動作時間の計算方法について説明する。
【０１４０】
図５を参照して説明したように、動作時間が同じであっても、発光期間のデューティ比が小さくなるほど、表示素子１０が実際に光っている期間の総計の長さは小さくなる。従って、発光期間のデューティ比が小さくなるほど、経時変化は緩やかになる。逆に、発光期間のデューティ比が大きくなるほど、経時変化は顕著になる。
【０１４１】
図１３は、表示パネル２０の温度条件が値ｔ１、表示素子１０の発光期間のデューティ比が値ＤＲMode1（＜ＤＲMode0）である状態で、映像信号ＶＤSigに基づいて表示素子１０を動作させたときに、経時変化による表示素子１０の相対的な輝度変化が或る値「β」となるまでの累積動作時間と、映像信号ＶＤSigの階調値との関係を説明するための模式的なグラフである。尚、図１０との対比の都合上、グラフを破線で示した。
【０１４２】
図１３において、符号ＥＴt1_500_Mode1は、階調値が５００のときに縦軸が値「β」となるときの累積動作時間を示し、符号ＥＴt1_400_Mode1は、階調値が４００のときに縦軸が値「β」となるときの累積動作時間を示す。符号ＥＴt1_300_Mode1は、階調値が３００のときに縦軸が値「β」となるときの累積動作時間を示し、符号ＥＴt1_200_Mode1は、階調値が２００のときに縦軸が値「β」となるときの累積動作時間を示す。尚、符号ＥＴt1_100_Mode1，ＥＴt1_50_Mode1として示すべき累積動作時間はグラフ外にあるため、図１３には示されていない。図１３と図１０とを対比して明らかなように、縦軸が「β」となるまでの累積動作時間は、表示素子１０の発光期間のデューティ比が小さいほど長くなる。
【０１４３】
従って、階調値が同じであっても、発光期間のデューティ比が小さくなるほど、長い動作時間で表示素子１０の輝度は経時変化する。逆にいえば、実際の動作時間の長さが同じであっても、発光期間のデューティ比が小さくなるほど、基準動作時間は短くなるといった関係にある。図１４を参照して、以下、説明する。
【０１４４】
図１４は、図１３に示す各階調値に対応するグラフに、図１０に示す階調値５００のグラフを重ねたグラフである。
【０１４５】
図示の都合上、図１４は、図１３及び図１０に対し、縦軸と横軸とを２倍に拡大している。発光期間のデューティ比が値ＤＲMode1であるとき、階調値５００における第２の動作時間換算係数は（ＥＴt1_500_Mode0／ＥＴt1_500_Mode1）、階調値４００における第２の動作時間換算係数は（ＥＴt1_500_Mode0／ＥＴt1_400_Mode1）で与えられる。同様に、階調値３００，２００，１００，５０における第２の動作時間換算係数は、（ＥＴt1_500_Mode0／ＥＴt1_300_Mode1），（ＥＴt1_500_Mode0／ＥＴt1_200_Mode1），（ＥＴt1_500_Mode0／ＥＴt2_100_Mode1），（ＥＴt1_500_Mode0／ＥＴt1_50_Mode1）で与えられる。
【０１４６】
図１５は、表示パネル２０の温度条件が値ｔ１、発光期間のデューティ比が値ＤＲMode0，ＤＲMode1，ＤＲMode2，ＤＲMode3であるときの動作時間換算係数を示したグラフである。
【０１４７】
図１５に示すように、発光期間のデューティ比が大きくなるとグラフの傾きは大きくなり、発光期間のデューティ比が小さくなるとグラフの傾きは小さくなる。
【０１４８】
従って、発光期間のデューティ比が所定の基準デューティ比と異なるときの各階調値に対応した第２の動作時間換算係数は、発光期間のデューティ比が所定の基準デューティ比であるときの各階調値に対応した動作時間換算係数に、動作時の発光期間のデューティ比に対応した定数（デューティ比加速係数）を乗算することによって計算することができる。
【０１４９】
発光期間のデューティ比が値ＤＲMode1であるときのデューティ比加速係数は、第２の動作時間換算係数と動作時間換算係数との比として、例えば、（ＥＴt1_500_Mode0／ＥＴt1_500_Mode1）／（ＥＴt1_500_Mode0／ＥＴt1_500_Mode0）＝（ＥＴt1_500_Mode0／ＥＴt1_500_Mode1）として求めることができる。尚、例えば階調毎に上述した計算を行いその平均値をデューティ比加速係数としてもよい。
【０１５０】
図１６は、表示パネル２０の温度条件が値ｔ１である状態における、デューティ比ＤＲModeとデューティ比加速係数との関係を示すグラフである。
【０１５１】
定性的には、発光期間のデューティ比が基準デューティ比ＤＲMode0の１／２であれば、基準動作時間の長さも概ね１／２となり、発光期間のデューティ比が基準デューティ比ＤＲMode0の１／４であれば、基準動作時間の長さも概ね１／４となる。従って、基本的には、図１２に示す動作時間換算係数に「ＤＲMode／ＤＲMode0」といった値のデューティ比加速係数を乗算して基準動作時間を計算すればよい。図１６は、表示パネル２０の温度条件が値ｔ１である状態における、デューティ比ＤＲModeとデューティ比加速係数との関係を示すグラフである。
【０１５２】
以上説明したように、基準動作時間は、実際の動作時間に、動作時間換算係数と、発光期間のデューティ比に応じたデューティ比加速係数とを乗算することにより計算することができる。
【０１５３】
次いで図２、図１７乃至図２２を参照して、表示装置１の焼き付きを補償する駆動方法について説明する。
【０１５４】
図１７は、図２に示す動作時間換算係数格納部１１３に格納されているデータを説明するための模式的なグラフである。
【０１５５】
図２に示す輝度補正部１１０の概要については既に述べたが、動作時間換算係数格納部１１３には、図１７のグラフに示す関係を表す関数ｆCSCがテーブルとして予め格納されている。これは、図１２に示す映像信号ＶＤSigの階調値と動作時間換算係数との関係を表すものである。
【０１５６】
図１８は、図２に示すデューティ比加速係数格納部１１４に格納されているデータを説明するための模式的なグラフである。
【０１５７】
図２に示すデューティ比加速係数格納部１１４には、図１８のグラフに示す関係を表す関数ｆDRCがテーブルとして予め格納されている。これは、図１６に示す発光期間のデューティ比と、デューティ比加速係数との関係を表すものである。
【０１５８】
図１９は、図２に示す累積基準動作時間値保持部１１５に保持されるデータを説明するための模式図である。
【０１５９】
累積基準動作時間値保持部１１５は、各表示素子１０に対応した記憶領域を持ち、書き換え可能な不揮発性の記憶装置から構成されており、図１９に示す累積基準動作時間値を示すデータＳＰ（１，１）乃至ＳＰ（Ｎ，Ｍ）を保持する。
【０１６０】
図２０は、図２に示す基準カーブ格納部１１７に格納されているデータを説明するための模式的なグラフである。
【０１６１】
基準カーブ格納部１１７には、図２０に示す基準カーブを表す関数ｆREFがテーブルとして予め格納されている。この基準カーブは、図１０においてｔ１＝４０°Ｃ、且つ、階調値５００であるときのカーブを表すものである。
【０１６２】
図２２は、図２に示す階調補正量保持部１１６を構成する階調補正量格納部１１６Ｂに保持されるデータを説明するための模式図である。
【０１６３】
階調補正量格納部１１６Ｂは、各表示素子１０に対応した記憶領域を持ち、書き換え可能な記憶装置から構成されており、図２２に示す、階調値の補正量を示すデータＬＣ（１，１）乃至ＬＣ（Ｎ，Ｍ）を保持する。
【０１６４】
実施例１の駆動方法は、輝度補正部１１０の動作に基づいて、入力信号ｖＤSigの階調値を補正して映像信号ＶＤSigとして出力することによって、表示パネル２０が画像を表示する際の表示素子１０の輝度を補正する輝度補正ステップを有し、
輝度補正ステップは、
発光期間のデューティ比が或るデューティ比ＤＲModeに設定された状態で表示素子１０が映像信号ＶＤSigに基づいて所定の単位時間の間動作したときの表示素子１０の輝度の経時変化と、発光期間のデューティ比ＤＲModeが所定の基準デューティ比ＤＲMode0に設定された状態で表示素子１０が所定の基準階調値の映像信号ＶＤSigに基づいて動作したと仮定したときの表示素子１０の輝度の経時変化とが等しくなる基準動作時間の値を計算する基準動作時間値計算ステップ、
基準動作時間の値を表示素子１０毎に累積した累積基準動作時間値を保持する累積基準動作時間値保持ステップ、
累積基準動作時間値に基づいて、発光期間のデューティ比ＤＲModeが所定の基準デューティ比ＤＲMode0に設定された状態で表示素子１０が所定の基準階調値の映像信号ＶＤSigに基づいて動作したときの、表示素子１０の動作時間と表示素子１０の輝度の経時変化との関係を示す基準カーブを参照して表示素子１０の輝度の経時変化を補償するための階調値の補正量を計算し、各表示素子１０に対応した階調値の補正量を保持する階調補正量保持ステップ、及び、  階調値の補正量に基づいて、各表示素子１０に対応した入力信号ｖＤSigの階調値を補正して映像信号ＶＤSigとして出力する映像信号生成ステップ、
を備えている。
【０１６５】
ここでは、表示装置１の初期状態から累積して第１番目乃至第（Ｑ−１）番目のフレーム表示が終了し、第Ｑ番目（但し、Ｑは２以上の自然数）のフレーム表示を行うための書き込み処理が行われる際の、第（ｎ，ｍ）番目の表示素子１０に関する輝度補正ステップについて説明する。
【０１６６】
尚、第（ｎ，ｍ）番目の表示素子１０の第ｑ番目（但し、ｑ＝１，２・・・，Ｑ）のフレームにおける入力信号ｖＤSig及び映像信号ＶＤSigを、ｖＤSig(n,m)_q及びＶＤSig(n,m)_qと表す。第ｑ番目のフレーム表示が表示した時点で、第（ｎ，ｍ）番目の表示素子１０に対応する累積基準動作時間値を示すデータをＳＰ（ｎ，ｍ）_qと表す。また、上述したように所謂１フレーム期間が占める時間を符号ＴFで表す。尚、初期状態にあっては、データＳＰ（１，１）乃至ＳＰ（Ｎ，Ｍ）には初期値として予め「０」が、データＬＣ（１，１）乃至ＬＣ（Ｎ，Ｍ）には初期値として予め「１」が格納されている。
【０１６７】
第（Ｑ−１）番目の表示フレームにおいて、図２に示す基準動作時間値計算部１１２は、映像信号ＶＤSig(n,m)_Q-1、及び、デューティ比設定信号ｄＲModeに基づいて設定される動作時のデューティ比ＤＲModeに基づいて、基準動作時間値計算ステップを行う。
【０１６８】
具体的には、基準動作時間値計算部１１２は、映像信号ＶＤSig(n,m)_Q-1に基づいて動作時間換算係数格納部１１３を参照し、関数値ｆCSC（ＶＤSig(n,m)_Q-1）を求める。また、基準動作時間値計算部１１２は、動作時のデューティ比ＤＲModeに基づいてデューティ比加速係数格納部１１４を参照し、関数値ｆDRC（ＤＲMode）を求める。そして、
第（Ｑ−１）番目の表示フレームにおける基準動作時間＝ＴF・ｆDRC（ＤＲMode）・ｆCSC（ＶＤSig(n,m)_Q-1）
といった計算を行う。
【０１６９】
そして、累積基準動作時間値保持部１１５は、基準動作時間値計算部１１２が計算した基準動作時間の値を表示素子１０毎に累積した累積基準動作時間値を保持する累積基準動作時間値保持ステップを行う。
【０１７０】
具体的には、第（Ｑ−１）番目の表示フレームにおいて、累積基準動作時間値保持部１１５は、直前のデータＳＰ（ｎ，ｍ）_Q-2に対し、更に、上述した第（Ｑ−１）番目の表示フレームにおける基準動作時間を加算する。具体的には、
ＳＰ（ｎ，ｍ）_Q-1＝ＳＰ（ｎ，ｍ）_Q-2＋ＴF・ｆDRC（ＤＲMode）・ｆCSC（ＶＤSig(n,m)_Q-1）
といった動作を行う。これにより、累積基準動作時間値保持部１１５には、基準動作時間値計算部１１２が計算した基準動作時間の値を表示素子１０毎に累積した累積基準動作時間値が保持される。
【０１７１】
そして、階調補正量保持部１１６は、各表示素子１０に対応した階調値の補正量を保持する階調補正量保持ステップを行う。
【０１７２】
図２１は、図２に示す階調補正量保持部１１６を構成する階調補正量計算部１１６Ａの動作を説明するための模式的なグラフである。
【０１７３】
具体的には、階調補正量計算部１１６Ａは、累積基準動作時間値保持部１１５に保持されたデータＳＰ（ｎ，ｍ）_Q-1に基づいて基準カーブ格納部１１７を参照し、関数値ｆREF（ＳＰ（ｎ，ｍ）_Q-1）を求める（図２１参照）。そして、関数値ｆREF（ＳＰ（ｎ，ｍ）_Q-1）の逆数を、階調値の補正量として、階調補正量格納部１１６ＢのデータＬＣ（ｎ，ｍ）_Q-1に保持する。
【０１７４】
そして、映像信号生成部１１１は、階調値の補正量に基づいて、各表示素子１０に対応した入力信号ｖＤSigの階調値を補正して映像信号ＶＤSigとして出力する映像信号生成ステップを行う。
【０１７５】
即ち、第Ｑ番目のフレームの直前には、累積基準動作時間値保持部１１５には、データＳＰ（１，１）_Q-1乃至ＳＰ（Ｎ，Ｍ）_Q-1が保持され、階調補正量保持部１１６を構成する階調補正量格納部１１６Ｂには、データＬＣ（１，１）_Q-1乃至ＬＣ（Ｎ，Ｍ）_Q-1が保持されている。
【０１７６】
映像信号生成部１１１は、入力信号ｖＤSig(n,m)_Qと階調補正量格納部１１６ＢのデータＬＣ（ｎ，ｍ）_Q-1とを参照し、
映像信号ＶＤSig(n,m)_Q＝ｖＤSig(n,m)_Q・ＬＣ（ｎ，ｍ）_Q-1
といった計算を行い、生成した映像信号ＶＤSig(n,m)_Qを信号出力回路１０２に供給する。
【０１７７】
そして、第Ｑ番目のフレーム表示が行われる。その後、第（Ｑ＋１）番目以降のフレームにおいても、上述した動作が繰り返される。
【０１７８】
実施例１の表示装置１にあっては、動作時間換算係数格納部１１３とデューティ比加速係数格納部１１４を参照して基準動作時間の値を算出し、その値を累積基準動作時間値として保持し、これに基づいて基準カーブ格納部１１７を参照して階調値の補正量を求める。基準動作時間の値には、映像信号ＶＤSigの階調値に加えて、発光期間のデューティ比に応じたデューティ比加速係数が反映されている。
【０１７９】
従って、基準動作時間の値を累積した累積基準動作時間値には、映像信号ＶＤSigの階調値の履歴に加えて、発光期間のデューティ比の履歴も反映されている。これにより、発光期間のデューティ比の履歴をも考慮した形で経時変化による輝度変化が補償され、良好な画像を表示することができる。
【０１８０】
以上の説明において、表示装置１はモノクロ表示としたが、カラー表示の表示装置であってもよい。この場合において、例えば、表示素子１０の経時変化の傾向が発光色毎に異なるといった場合には、図２に示す動作時間換算係数格納部１１３、デューティ比加速係数格納部１１４、及び、基準カーブ格納部１１７を、発光色毎に別個の構成とすればよい。
【０１８１】
以上、表示装置１における焼き付きの補償について詳しく説明した。第（ｎ，ｍ）番目の表示素子１０の焼き付き補償を除いた動作の詳細は、実施例１及び後述する実施例２において同様である。説明の都合上、第（ｎ，ｍ）番目の表示素子１０の焼き付き補償を除いた動作は、実施例２の後半において詳しく説明する。
【実施例２】
【０１８２】
実施例２も、本発明の表示装置及び表示装置の駆動方法に関する。
【０１８３】
実施例１にあっては、基準動作時間の算出にあたり動作時の表示パネルの温度条件は考慮されていない。実際には、表示素子の輝度の低下の程度は、表示パネルの温度条件によっても影響を受ける。実施例２にあっては、動作時の表示パネルの温度条件を考慮して基準動作時間の算出を行うことができるので、温度条件の履歴をも考慮した形で経時変化による輝度変化が補償され、より良好な画像を表示することができる。
【０１８４】
図２３は、実施例２の表示装置２の概念図である。
【０１８５】
実施例２の表示装置２も、電流駆動型の発光部を有する表示素子１０が第１の方向と第２の方向とに２次元マトリクス状に配列されて成り、映像信号ＶＤSigに基づいて画像を表示する表示パネル２０、及び、入力信号ｖＤSigの階調値を補正して映像信号ＶＤSigとして出力することによって、表示パネル２０が画像を表示する際の表示素子１０の輝度を補正する輝度補正部２１０を備えている。
【０１８６】
実施例２の表示装置２は、更に、温度センサ２２０を備えている。この温度センサ２２０は、表示パネル２０に設置されている。温度センサ２２０は、表示パネル２０を製造する際のトランジスタ形成プロセスを利用して、表示素子１０が配置される表示領域を囲む部分に形成された温度検出用のトランジスタから成る。尚、実施例２にあっては、温度センサ２２０の数は１であるが、これに限るものではない。
【０１８７】
温度センサ２２０を備えている点を除き、表示パネル２０の構成は実施例１において説明したと同様である。尚、表示パネル２０を構成する各構成要素については、実施例１と同一の参照番号及び参照符号を付した。これらの構成要素についての説明は、実施例１において説明したと同様であるので説明を省略する。
【０１８８】
図２４は、輝度補正部２１０の構成を説明するための、模式的なブロック図である。図２５は、表示パネル２０を構成する表示素子１０の等価回路図である。
【０１８９】
輝度補正部２１０の動作については、後ほど、後述する図３０及び図３１を参照して詳しく説明する。ここでは、輝度補正部２１０の概要について説明する。
【０１９０】
実施例１において説明した輝度補正部１１０に対し、輝度補正部２１０は、更に、温度加速係数格納部２１４を備えている。また、動作時間換算係数格納部１１３に格納されている動作時間換算係数は、所定の温度条件において表示素子１０が動作するときの動作時間換算係数である。「所定の温度条件」については、後述する。
【０１９１】
温度加速係数格納部２１４には、所定の温度条件とは異なる温度条件において発光期間のデューティ比が所定の基準デューティ比に設定されている状態で表示素子１０が各階調値の映像信号ＶＤSigに基づいて動作して輝度の経時変化の程度が或る値に達するまでの各動作時間の値と、所定の温度条件において発光期間のデューティ比が所定の基準デューティ比に設定されている状態で表示素子１０が所定の基準階調値の映像信号ＶＤSigに基づいて動作して輝度の経時変化の程度が該或る値に達するまでの動作時間の値との比を第３の動作時間換算係数としたとき、第３の動作時間換算係数と動作時間換算係数との比が温度加速係数として格納されている。
【０１９２】
温度加速係数格納部２１４は、所謂不揮発性メモリといった記憶装置から構成されており、周知の回路素子等を用いて構成することができる。
【０１９３】
そして、図２４に示す基準動作時間値計算部２１２は、映像信号ＶＤSigの階調値に対応した動作時間換算係数格納部１１３の値と、動作時の発光期間のデューティ比に対応したデューティ比加速係数格納部１１４の値と、温度センサの温度情報に対応した温度加速係数格納部２１４の値とを参照し、単位時間の値にこれらの値を乗算することによって、基準動作時間の値を計算する。
【０１９４】
輝度補正部２１０の構成は、温度加速係数格納部２１４を更に備えており、また、基準動作時間値計算部２１２における基準動作時間の計算において、温度センサの温度情報に対応した温度加速係数格納部２１４の値を参照してこれを更に乗算するといった点が相違する他は、実施例１において説明した輝度補正部１１０の構成と同一である。尚、輝度補正部１１０と同一の構成要素については、実施例１と同一の参照番号及び参照符号を付した。これらの構成要素についての説明は、実施例１において説明したと同様であるので説明を省略する。
【０１９５】
実施例２にあっては、「所定の温度条件」における『温度』が４０°Ｃであるとして説明するが、これに限るものではない。尚、実施例２においても、「所定の単位時間」を所謂１フレーム期間が占める時間とし、「所定の基準階調値」を５００としたが、これに限定するものではない。
【０１９６】
次いで、図２６乃至図２７を参照して、実際の温度条件と所定の温度条件とに差がある場合の基準動作時間の計算方法について説明する。
【０１９７】
表示素子１０が動作することによる輝度の経時変化の程度は、動作時の温度条件によっても左右される。一般に、動作時における温度条件が高いほど、経時変化はより顕著になる。
【０１９８】
図２６は、表示パネル２０の温度条件が或る値ｔ２（但し、ｔ２＞ｔ１）、表示素子１０の発光期間のデューティ比が値ＤＲMode0である状態で、映像信号ＶＤSigに基づいて表示素子１０を動作させたときに、経時変化による表示素子１０の相対的な輝度変化が或る値「β」となるまでの累積動作時間と、映像信号ＶＤSigの階調値との関係を説明するための模式的なグラフである。尚、図１０との対比の都合上、グラフを破線で示した。
【０１９９】
この図２６に示すグラフは、実質的に、温度条件を異にした場合の図１０に示すグラフに相当する。
【０２００】
図２６において、符号ＥＴt2_500_Mode0は、階調値が５００のときに縦軸が「β」となるときの累積動作時間を示し、符号ＥＴt2_400_Mode0は、階調値が４００のときに縦軸が値βとなるときの累積動作時間を示す。符号ＥＴt2_300_Mode0，ＥＴt2_200_Mode0，ＥＴt2_100_Mode0，ＥＴt2_50_Mode0も同様である。図２６と図１０とを対比して明らかなように、縦軸が「β」となるまでの累積動作時間は、表示パネル２０の温度条件が高いほど短くなる。
【０２０１】
従って、階調値が同じであっても、表示パネル２０の温度条件が高いほど、短い動作時間で表示素子１０の輝度は経時変化する。逆にいえば、実際の動作時間の長さが同じであっても、表示パネル２０の温度条件が高いほど、基準動作時間は長くなるといった関係にある。図２７を参照して、以下、説明する。
【０２０２】
図２７は、図２６に示す各階調値に対応するグラフに、図１０に示す階調値５００のグラフを重ねたグラフである。
【０２０３】
図示の都合上、図２７は、図２６及び図１０に対し、縦軸と横軸とを２倍に拡大している。表示パネル２０の温度条件が値ｔ２であるとき、階調値５０における第３の動作時間換算係数は（ＥＴt1_500_Mode0／ＥＴt2_50_Mode0）、階調値１００における第３の動作時間換算係数は（ＥＴt1_500_Mode0／ＥＴt2_100_Mode0）で与えられる。同様に、階調値２００，３００，４００，５００における第３の動作時間換算係数は、（ＥＴt1_500_Mode0／ＥＴt2_200_Mode0），（ＥＴt1_500_Mode0／ＥＴt2_300_Mode0），（ＥＴt1_500_Mode0／ＥＴt2_400_Mode0），（ＥＴt1_500_Mode0／ＥＴt2_500_Mode0）で与えられる。
【０２０４】
図２８は、表示素子１０の発光期間のデューティ比が値ＤＲMode0である場合に、表示パネル２０の温度条件が４０°Ｃ（実施例２における所定の温度条件）であるときの動作時間換算係数と、表示パネル２０の温度条件が５０°Ｃであるときの第３の動作時間換算係数を示したグラフである。尚、図２８には、温度条件が４０°Ｃよりも低くなる場合のグラフを模式的に破線で示し、温度条件が５０°Ｃよりも高くなる場合のグラフを模式的に一点鎖線で示した。
【０２０５】
図２８に示すように、表示パネル２０の温度条件が高くなるとグラフの傾きは大きくなり、表示パネル２０の温度条件が低くなるとグラフの傾きは小さくなる。
【０２０６】
表示パネル２０の温度条件が５０°Ｃであるときの第３の動作時間換算係数のグラフは、表示パネル２０の温度条件が４０°Ｃであるときの動作時間換算係数のグラフを、縦軸に定数倍した形状となっている。他の温度条件においても同様である。逆に言えば、表示素子１０は、このような条件を満たすような温度依存性を有していることが認められた。
【０２０７】
従って、表示パネル２０の温度条件が所定の温度条件と異なるときの各階調値に対応した第３の動作時間換算係数は、表示パネル２０が所定の温度条件であるときの各階調値に対応した動作時間換算係数に、表示パネル２０の温度条件に応じた温度加速係数を乗算することによって計算することができる。
【０２０８】
温度条件が５０°Ｃであるときの温度加速係数は、第３の動作時間換算係数と動作時間換算係数との比として、例えば、（ＥＴt1_500_Mode0／ＥＴt2_500_Mode0）／（ＥＴt1_500_Mode0／ＥＴt1_500_Mode0）＝（ＥＴt1_500_Mode0／ＥＴt2_500_Mode0）として求めることができる。尚、例えば階調毎に上述した計算を行い、その平均値を温度加速係数としてもよい。
【０２０９】
図２９は、表示パネル２０の動作時の温度条件と温度加速係数との関係を説明するための模式的なグラフである。表示パネル２０の温度条件が４０°Ｃ（実施例１における所定の温度条件）の動作時間換算係数のグラフを基準として、表示パネル２０の温度条件が５０°Ｃのときには、温度加速係数は略１．４５であった。図２９には、温度条件が４０°Ｃよりも低くなる場合を破線で示し、温度条件が５０°Ｃよりも高くなる場合を一点鎖線で示した。
【０２１０】
以上説明したように、実際の温度条件と所定の温度条件とに差がある場合には、基準動作時間は、実際の動作時間に、所定の温度条件での動作時間換算係数と、温度条件に応じた温度加速係数とを乗算することにより計算することができる。
【０２１１】
次いで、図２４、図３０及び図３１を参照して、表示装置２の焼き付きを補償する駆動方法について説明する。尚、基準動作時間を計算する際に温度加速係数を乗算する点が相違する他は、実施例２の駆動方法は実施例１の駆動方法と同一であるので、主に、基準動作時間の計算について説明する。
【０２１２】
実施例１と同様に、第（ｎ，ｍ）番目の表示素子１０の第ｑ番目（但し、ｑ＝１，２・・・，Ｑ）のフレームにおける入力信号ｖＤSig及び映像信号ＶＤSigを、ｖＤSig(n,m)_q及びＶＤSig(n,m)_qと表し、第ｑ番目のフレーム表示が表示した時点で、第（ｎ，ｍ）番目の表示素子１０に対応する累積基準動作時間値を示すデータをＳＰ（ｎ，ｍ）_qと表し、第ｑ番目のフレーム表示を行う際の温度センサ２２０からの温度情報をＷＰＴ_qと表す。また、所謂１フレーム期間が占める時間を符号ＴFで表す。初期状態にあっては、データＳＰ（１，１）乃至ＳＰ（Ｎ，Ｍ）には初期値として予め「０」が、データＬＣ（１，１）乃至ＬＣ（Ｎ，Ｍ）には初期値として予め「１」が格納されている。
【０２１３】
図３０は、図２４に示す温度加速係数格納部２１４に格納されているデータを説明するための模式的なグラフである。
【０２１４】
図２４に示す温度加速係数格納部２１４には、図３０のグラフに示す関係を表す関数ｆTACがテーブルとして予め格納されている。これは、図２９に示す有機エレクトロルミネッセンス表示パネル２０の動作時の温度条件と、温度加速係数の関係を表すものである。
【０２１５】
図３１は、図２４に示す累積基準動作時間値保持部１１５に保持されるデータを説明するための模式図である。
【０２１６】
第（Ｑ−１）番目の表示フレームにおいて、図２４に示す基準動作時間値計算部２１２は、映像信号ＶＤSig(n,m)_Q-1、デューティ比設定信号ｄＲModeに基づいて設定される動作時のデューティ比ＤＲMode、及び、温度センサ２２０からの温度情報ＷＰＴ_Q-1に基づいて、基準動作時間値計算ステップを行う。
【０２１７】
具体的には、基準動作時間値計算部２１２は、映像信号ＶＤSig(n,m)_Q-1に基づいて動作時間換算係数格納部１１３を参照し、関数値ｆCSC（ＶＤSig(n,m)_Q-1）を求める。また、基準動作時間値計算部１１２は、動作時のデューティ比ＤＲModeに基づいてデューティ比加速係数格納部１１４を参照し、関数値ｆDRC（ＤＲMode）を求める。更に、温度情報ＷＰＴ_Q-1に基づいて温度加速係数格納部２１４を参照し、関数値ｆTAC（ＷＰＴ_Q-1）を求める。そして、
第（Ｑ−１）番目の表示フレームにおける基準動作時間＝ＴF・ｆDRC（ＤＲMode）・ｆCSC（ＶＤSig(n,m)_Q-1）・ｆTAC（ＷＰＴ_Q-1）
といった計算を行う。
【０２１８】
そして、累積基準動作時間値保持部１１５は、基準動作時間値計算部１１２が計算した基準動作時間の値を表示素子１０毎に累積した累積基準動作時間値を保持する累積基準動作時間値保持ステップを行う。
【０２１９】
具体的には、第（Ｑ−１）番目の表示フレームにおいて、累積基準動作時間値保持部１１５は、直前のデータＳＰ（ｎ，ｍ）_Q-2に対し、更に、上述した第（Ｑ−１）番目の表示フレームにおける基準動作時間を加算する。具体的には、
ＳＰ（ｎ，ｍ）_Q-1＝ＳＰ（ｎ，ｍ）_Q-2＋ＴF・ｆDRC（ＤＲMode）・ｆCSC（ＶＤSig(n,m)_Q-1）・ｆTAC（ＷＰＴ_Q-1）
といった動作を行う。これにより、累積基準動作時間値保持部１１５には、基準動作時間値計算部１１２が計算した基準動作時間の値を表示素子１０毎に累積した累積基準動作時間値が保持される。
【０２２０】
そして、階調補正量保持部１１６は、各表示素子１０に対応した階調値の補正量を保持する階調補正量保持ステップを行い、映像信号生成部１１１は、階調値の補正量に基づいて、各表示素子１０に対応した入力信号ｖＤSigの階調値を補正して映像信号ＶＤSigとして出力する映像信号生成ステップを行う。これらは、実施例１において説明したと同様であるので、説明を省略する。
【０２２１】
以上、表示装置２における焼き付きの補償について詳しく説明した。実施例２によれば、発光期間のデューティ比に加え、更に動作時の温度条件の履歴が反映された状態で焼き付きの補償が行われるので、より良好な画像を表示することができる。
【０２２２】
以上の説明において、表示装置２はモノクロ表示としたが、カラー表示の表示装置であってもよい。この場合において、例えば、表示素子１０の経時変化の傾向が発光色毎に異なるといった場合には、図２に示す動作時間換算係数格納部１１３、デューティ比加速係数格納部１１４、温度加速係数格納部２１４、及び、基準カーブ格納部１１７を、発光色毎に別個の構成とすればよい。
【０２２３】
次いで、第（ｎ，ｍ）番目の表示素子１０の焼き付き補償を除いた動作の詳細を、図３２、図３３の（Ａ）及び（Ｂ）、図３４の（Ａ）及び（Ｂ）、図３５の（Ａ）及び（Ｂ）、図３６の（Ａ）及び（Ｂ）、図３７の（Ａ）及び（Ｂ）、並びに、図３８を参照して詳細に説明する。尚、これらの図面や以下の説明においては、記載の都合上、第（ｎ，ｍ）番目の表示素子１０に対応する映像信号電圧ＶSig(n,m)を、ＶSig_mと表す。
【０２２４】
［期間−ＴＰ（２）-1］（図３２、図３３の（Ａ）参照）
この［期間−ＴＰ（２）-1］は、例えば、前の表示フレームにおける動作であり、前回の各種の処理完了後に第（ｎ，ｍ）番目の表示素子１０が発光状態にある期間である。即ち、第（ｎ，ｍ）番目の画素を構成する表示素子１０における発光部ＥＬＰには、後述する式（５’）に基づくドレイン電流Ｉds’が流れており、第（ｎ，ｍ）番目の画素を構成する表示素子１０の輝度は、係るドレイン電流Ｉds’に対応した値である。ここで、書込みトランジスタＴＲWは非導通状態であり、駆動トランジスタＴＲDは導通状態である。第（ｎ，ｍ）番目の表示素子１０の発光状態は、第（ｍ＋ｍ’）行目に配列された表示素子１０の水平走査期間の開始直前まで継続される。
【０２２５】
上述したように、各水平走査期間に対応して、データ線ＤＴＬnには、基準電圧ＶOfsと映像信号電圧ＶSigとが供給される。しかしながら、書込みトランジスタＴＲWは非導通状態であるので、［期間−ＴＰ（２）-1］においてデータ線ＤＴＬnの電位（電圧）が変化しても、第１ノードＮＤ1と第２ノードＮＤ2の電位は変化しない（実際には、寄生容量等の静電結合による電位変化が生じ得るが、通常、これらは無視することができる）。後述する［期間−ＴＰ（２）0］においても同様である。
【０２２６】
図３２に示す［期間−ＴＰ（２）0］〜［期間−ＴＰ（２）6］は、前回の各種の処理完了後の発光状態が終了した後から、次の書込み処理が行われる直前までの動作期間である。［期間−ＴＰ（２）0］〜［期間−ＴＰ（２）7］において、第（ｎ，ｍ）番目の表示素子１０は原則として非発光状態にある。図３２に示すように、［期間−ＴＰ（２）5］、［期間−ＴＰ（２）6］及び［期間−ＴＰ（２）7］は第ｍ番目の水平走査期間Ｈmに包含される。
【０２２７】
また、［期間−ＴＰ（２）3］及び［期間−ＴＰ（２）5］において、走査線ＳＣＬからの走査信号に基づいて導通状態とされた書込みトランジスタＴＲWを介してデータ線ＤＴＬnから駆動トランジスタＴＲDのゲート電極に基準電圧ＶOfsを印加した状態で、給電線ＰＳ１から駆動電圧ＶCC-Hを駆動トランジスタＴＲDの一方のソース／ドレイン領域に印加し、以て、駆動トランジスタＴＲDの他方のソース／ドレイン領域の電位を基準電圧ＶOfsから駆動トランジスタＴＲDの閾値電圧を減じた電位に向かって近づける閾値電圧キャンセル処理を行う。
【０２２８】
実施例１あるいは実施例２においては、閾値電圧キャンセル処理を複数の水平走査期間、より具体的には、第（ｍ−１）番目の水平走査期間Ｈm-1と第ｍ番目の水平走査期間Ｈmにおいて行うとして説明するが、これに限定するものではない。
【０２２９】
また、［期間−ＴＰ（２）1］において、基準電圧ＶOfsとの差が駆動トランジスタＴＲDの閾値電圧を超える初期化電圧ＶCC-Lを給電線ＰＳ１から駆動トランジスタＴＲDの一方のソース／ドレイン領域に印加し、走査線ＳＣＬmからの走査信号に基づいて導通状態とされた書込みトランジスタＴＲWを介してデータ線ＤＴＬnから駆動トランジスタＴＲDのゲート電極に基準電圧ＶOfsを印加し、以て、駆動トランジスタＴＲDのゲート電極の電位と駆動トランジスタＴＲDの他方のソース／ドレイン領域の電位とを初期化する。
【０２３０】
図３２において、［期間−ＴＰ（２）1］は、第（ｍ−２）番目の水平走査期間Ｈm-2における基準電圧期間（データ線ＤＴＬに基準電圧ＶOfsが印加される期間）に一致し、［期間−ＴＰ（２）3］は、第（ｍ−１）番目の水平走査期間Ｈm-1における基準電圧期間に一致し、［期間−ＴＰ（２）5］は、第ｍ番目の水平走査期間Ｈmにおける基準電圧期間に一致するとする。
【０２３１】
引き続き、図３２等を参照して、［期間−ＴＰ（２）0］〜［期間−ＴＰ（２）8］の各期間の動作について説明する。
【０２３２】
［期間−ＴＰ（２）0］（図３２、図３３の（Ｂ）参照）
この［期間−ＴＰ（２）0］は、例えば、前の表示フレームから現表示フレームにおける動作である。即ち、この［期間−ＴＰ（２）0］は、前の表示フレームにおける第（ｍ＋ｍ’）番目の水平走査期間Ｈm+m'の始期から、現表示フレームにおける第（ｍ−３）番目の水平走査期間の終期までの期間である。そして、この［期間−ＴＰ（２）0］において、第（ｎ，ｍ）番目の表示素子１０は、原則として非発光状態にある。［期間−ＴＰ（２）0］の始期において、電源部１００から給電線ＰＳ１mに供給する電圧を駆動電圧ＶCC-Hから初期化電圧ＶCC-Lに切り替える。その結果、第２ノードＮＤ2の電位はＶCC-Lまで低下し、発光部ＥＬＰのアノード電極とカソード電極との間に逆方向電圧が印加され、発光部ＥＬＰは非発光状態となる。また、第２ノードＮＤ2の電位低下に倣うように、浮遊状態の第１ノードＮＤ1（駆動トランジスタＴＲDのゲート電極）の電位も低下する。
【０２３３】
［期間−ＴＰ（２）1］（図３２、図３４の（Ａ）参照）
そして、現表示フレームにおける第（ｍ−２）番目の水平走査期間Ｈm-2が開始する。この［期間−ＴＰ（２）1］において、走査線ＳＣＬmをハイレベルとして表示素子１０の書込みトランジスタＴＲWを導通状態とする。信号出力回路１０２からデータ線ＤＴＬnに供給される電圧は基準電圧ＶOfsである。その結果、第１ノードＮＤ1の電位は、ＶOfs（０ボルト）となる。電源部１００の動作に基づき、給電線ＰＳ１mから初期化電圧ＶCC-Lを第２ノードＮＤ2に印加しているので、第２ノードＮＤ2の電位はＶCC-L（−１０ボルト）を保持する。
【０２３４】
第１ノードＮＤ1と第２ノードＮＤ2との間の電位差は１０ボルトであり、駆動トランジスタＴＲDの閾値電圧Ｖthは３ボルトであるので、駆動トランジスタＴＲDは導通状態である。尚、第２ノードＮＤ2と発光部ＥＬＰに備えられたカソード電極との間の電位差は−１０ボルトであり、発光部ＥＬＰの閾値電圧Ｖth-ELを超えない。これにより、第１ノードＮＤ1の電位及び第２ノードＮＤ2の電位が初期化される。
【０２３５】
［期間−ＴＰ（２）2］（図３２、図３４の（Ｂ）参照）
この［期間−ＴＰ（２）2］において走査線ＳＣＬmをローレベルとする。表示素子１０の書込みトランジスタＴＲWは非導通状態となる。第１ノードＮＤ1及び第２ノードＮＤ2の電位は、基本的には従前の状態を維持する。
【０２３６】
［期間−ＴＰ（２）3］（図３２、図３５の（Ａ）参照）
この［期間−ＴＰ（２）3］において、第１回目の閾値電圧キャンセル処理を行う。走査線ＳＣＬmをハイレベルとし表示素子１０の書込みトランジスタＴＲWを導通状態とする。信号出力回路１０２からデータ線ＤＴＬnに供給される電圧は基準電圧ＶOfsである。第１ノードＮＤ1の電位は、ＶOfs（０ボルト）である。
【０２３７】
次いで、電源部１００から給電線ＰＳ１mに供給される電圧を、電圧ＶCC-Lから駆動電圧ＶCC-Hに切り替える。その結果、第１ノードＮＤ1の電位は変化しないが（ＶOfs＝０ボルトを維持）、基準電圧ＶOfsから駆動トランジスタＴＲDの閾値電圧Ｖthを減じた電位に向かって、第２ノードＮＤ2の電位は変化する。即ち、第２ノードＮＤ2の電位が上昇する。
【０２３８】
この［期間−ＴＰ（２）3］が充分長ければ、駆動トランジスタＴＲDのゲート電極と他方のソース／ドレイン領域との間の電位差がＶthに達し、駆動トランジスタＴＲDは非導通状態となる。即ち、第２ノードＮＤ2の電位が（ＶOfs−Ｖth）に近づき、最終的に（ＶOfs−Ｖth）となる。しかしながら、図３２に示す例では、［期間−ＴＰ（２）3］の長さは、第２ノードＮＤ2の電位を充分変化させるには足りない長さであり、［期間−ＴＰ（２）3］の終期において、第２ノードＮＤ2の電位は、ＶCC-L＜Ｖ1＜（ＶOfs−Ｖth）という関係を満たす或る電位Ｖ1に達する。
【０２３９】
［期間−ＴＰ（２）4］（図３２、図３５の（Ｂ）参照）
この［期間−ＴＰ（２）4］においては、走査線ＳＣＬmをローレベルとし、表示素子１０の書込みトランジスタＴＲWは非導通状態となる。その結果、第１ノードＮＤ1は浮遊状態となる。
【０２４０】
電源部１００から駆動トランジスタＴＲDの一方のソース／ドレイン領域に駆動電圧ＶCC-Hが印加されているので、第２ノードＮＤ2の電位は、電位Ｖ1から或る電位Ｖ2に上昇する。一方、駆動トランジスタＴＲDのゲート電極は浮遊状態であり、容量部Ｃ1が存在するが故に、ブートストラップ動作が駆動トランジスタＴＲDのゲート電極に生ずる。従って、第１ノードＮＤ1の電位は、第２ノードＮＤ2の電位変化に倣って上昇する。
【０２４１】
次の［期間−ＴＰ（２）5］における動作の前提として、［期間−ＴＰ（２）5］の始期において、第２ノードＮＤ2の電位が（ＶOfs−Ｖth）よりも低いことが必要となる。［期間−ＴＰ（２）4］の長さは、基本的には、Ｖ2＜（ＶOfs-L−Ｖth）の条件を満たすように決定されている。
【０２４２】
［期間−ＴＰ（２）5］（図３２、図３６の（Ａ）及び（Ｂ）参照）
この［期間−ＴＰ（２）5］において、第２回目の閾値電圧キャンセル処理を行う。走査線ＳＣＬmからの走査信号に基づいて、表示素子１０の書込みトランジスタＴＲWを導通状態とする。信号出力回路１０２からデータ線ＤＴＬnに供給される電圧は基準電圧ＶOfsである。第１ノードＮＤ1の電位は、ブートストラップ動作によって上昇した電位から、再度ＶOfs（０ボルト）となる（図３６の（Ａ）参照）。
【０２４３】
ここで、容量部Ｃ1の値を値ｃ1とし、発光部ＥＬＰの容量ＣELの値を値ｃELとする。そして、駆動トランジスタＴＲDのゲート電極と他方のソース／ドレイン領域との間の寄生容量の値をｃgsとする。第１ノードＮＤ1と第２ノードＮＤ2との間の容量値を符号ｃAで表せば、ｃA＝ｃ1＋ｃgsである。また、第２ノードＮＤ2と第２の給電線ＰＳ２との間の容量値を符号ｃBと表せば、ｃB＝ｃELである。尚、発光部ＥＬＰの両端に、追加の容量部が並列に接続されている構成であってもよいが、その場合には、ｃBには更に追加の容量部の容量値が加算される。
【０２４４】
第１ノードＮＤ1の電位が変化すると、第１ノードＮＤ1と第２ノードＮＤ2との間の電位も変化する。即ち、第１ノードＮＤ1の電位の変化分に基づく電荷が、第１ノードＮＤ1と第２ノードＮＤ2との間の容量値と、第２ノードＮＤ2と第２の給電線ＰＳ２との間の容量値に応じて、振り分けられる。然るに、値ｃb（＝ｃEL）が、値ｃA（＝ｃ1＋ｃgs）と比較して充分に大きな値であれば、第２ノードＮＤ2の電位の変化は小さい。そして、一般に、発光部ＥＬＰの容量ＣELの値ｃELは、容量部Ｃ1の値ｃ1及び駆動トランジスタＴＲDの寄生容量の値ｃgsよりも大きい。以下、第１ノードＮＤ1の電位変化により生ずる第２ノードＮＤ2の電位変化は考慮せずに説明を行う。尚、図３２に示した駆動のタイミングチャートにおいては、第１ノードＮＤ1の電位変化により生ずる第２ノードＮＤ2の電位変化を考慮せずに示した。
【０２４５】
電源部１００から駆動トランジスタＴＲDの一方のソース／ドレイン領域に駆動電圧ＶCC-Hが印加されているので、基準電圧ＶOfsから駆動トランジスタＴＲDの閾値電圧Ｖthを減じた電位に向かって、第２ノードＮＤ2の電位は変化する。即ち、第２ノードＮＤ2の電位は、電位Ｖ2から上昇し、基準電圧ＶOfsから駆動トランジスタＴＲDの閾値電圧Ｖthを減じた電位に向かって変化する。そして、駆動トランジスタＴＲDのゲート電極と他方のソース／ドレイン領域との間の電位差がＶthに達すると、駆動トランジスタＴＲDが非導通状態となる（図３６の（Ｂ）参照）。この状態にあっては、第２ノードＮＤ2の電位は、概ね（ＶOfs−Ｖth）である。ここで、以下の式（２）が保証されていれば、云い換えれば、式（２）を満足するように電位を選択、決定しておけば、発光部ＥＬＰが発光することはない。
【０２４６】
（ＶOfs−Ｖth）＜（Ｖth-EL＋ＶCat）    （２）
【０２４７】
この［期間−ＴＰ（２）5］にあっては、第２ノードＮＤ2の電位は、最終的に、（ＶOfs−Ｖth）となる。即ち、駆動トランジスタＴＲDの閾値電圧Ｖth、及び、基準電圧ＶOfsのみに依存して、第２ノードＮＤ2の電位は決定される。そして、発光部ＥＬＰの閾値電圧Ｖth-ELとは無関係である。［期間−ＴＰ（２）5］の終期において、走査線ＳＣＬmからの走査信号に基づいて、書込みトランジスタＴＲWを導通状態から非導通状態とする。
【０２４８】
［期間−ＴＰ（２）6］（図３２、図３７の（Ａ）参照）
書込みトランジスタＴＲWの非導通状態を維持した状態で、信号出力回路１０２からデータ線ＤＴＬnの一端に基準電圧ＶOfsに替えて映像信号電圧ＶSig_mが供給される。［期間−ＴＰ（２）5］において駆動トランジスタＴＲDが非導通状態に達しているとすれば、実質上、第１ノードＮＤ1と第２ノードＮＤ2の電位は変化しない（実際には、寄生容量等の静電結合による電位変化が生じ得るが、通常、これらは無視することができる）。尚、［期間−ＴＰ（２）5］で行う閾値電圧キャンセル処理において駆動トランジスタＴＲDが非導通状態に達していない場合には、［期間−ＴＰ（２）6］においてブートストラップ動作が生じ、第１ノードＮＤ1と第２ノードＮＤ2の電位は多少上昇する。
【０２４９】
［期間−ＴＰ（２）7］（図３２、図３７の（Ｂ）参照）
この［期間−ＴＰ（２）7］において、走査線ＳＣＬmの走査信号に基づいて、表示素子１０の書込みトランジスタＴＲWを導通状態とする。データ線ＤＴＬnから書込みトランジスタＴＲWのゲート電極に映像信号電圧ＶSig_mを印加する。
【０２５０】
上述した書込み処理にあっては、駆動トランジスタＴＲDの一方のソース／ドレイン領域には電源部１００から駆動電圧ＶCC-Hが印加している状態で、駆動トランジスタＴＲDのゲート電極に映像信号電圧ＶSigを印加する。このため、図３２に示すように、表示素子１０にあっては［期間−ＴＰ（２）7］において第２ノードＮＤ2の電位が変化する。具体的には、第２ノードＮＤ2の電位が上昇する。この電位の上昇量を符号ΔＶで表す。
【０２５１】
駆動トランジスタＴＲDのゲート電極（第１ノードＮＤ1）の電位をＶg、駆動トランジスタＴＲDの他方のソース／ドレイン領域（第２ノードＮＤ2）の電位をＶsとしたとき、上述した第２ノードＮＤ2の電位の上昇を考慮しなければ、Ｖgの値、Ｖsの値は以下のとおりとなる。第１ノードＮＤ1と第２ノードＮＤ2の電位差、即ち、駆動トランジスタＴＲDのゲート電極とソース領域として働く他方のソース／ドレイン領域との間の電位差Ｖgsは、以下の式（３）で表すことができる。
【０２５２】
Ｖg ＝ＶSig_m
Ｖs ≒ＶOfs−Ｖth
Ｖgs≒ＶSig_m−（ＶOfs−Ｖth）      （３）
【０２５３】
即ち、駆動トランジスタＴＲDに対する書込み処理において得られたＶgsは、発光部ＥＬＰにおける輝度を制御するための映像信号電圧ＶSig_m、駆動トランジスタＴＲDの閾値電圧Ｖth、及び、基準電圧ＶOfsのみに依存している。そして、発光部ＥＬＰの閾値電圧Ｖth-ELとは無関係である。
【０２５４】
次いで、上述した第２ノードＮＤ2の電位の上昇量（ΔＶ）について説明する。上述した実施例１あるいは実施例２の駆動方法にあっては、表示素子１０の駆動トランジスタＴＲDの一方のソース／ドレイン領域に駆動電圧ＶCC-Hを印加している状態で書込み処理を行う。これにより、表示素子１０の駆動トランジスタＴＲDの他方のソース／ドレイン領域の電位を変化させる移動度補正処理が併せて行われる。
【０２５５】
駆動トランジスタＴＲDを薄膜トランジスタ等から作製した場合、トランジスタ間で移動度μにばらつきが生ずることは避け難い。従って、移動度μに差異がある複数の駆動トランジスタＴＲDのゲート電極に同じ値の映像信号電圧ＶSigを印加したとしても、移動度μの大きい駆動トランジスタＴＲDを流れるドレイン電流Ｉdsと、移動度μの小さい駆動トランジスタＴＲDを流れるドレイン電流Ｉdsとの間に、差異が生じてしまう。そして、このような差異が生ずると、表示装置１の画面の均一性（ユニフォーミティ）が損なわれてしまう。
【０２５６】
上述した駆動方法にあっては、駆動トランジスタＴＲDの一方のソース／ドレイン領域には電源部１００から駆動電圧ＶCC-Hが印加された状態で、駆動トランジスタＴＲDのゲート電極に映像信号電圧ＶSigが印加される。このため、図３２に示すように、書込み処理において第２ノードＮＤ2の電位が上昇する。駆動トランジスタＴＲDの移動度μの値が大きい場合、駆動トランジスタＴＲDの他方のソース／ドレイン領域における電位（即ち、第２ノードＮＤ2の電位）の上昇量ΔＶ（電位補正値）は大きくなる。逆に、駆動トランジスタＴＲDの移動度μの値が小さい場合、駆動トランジスタＴＲDの他方のソース／ドレイン領域における電位の上昇量ΔＶは小さくなる。ここで、駆動トランジスタＴＲDのゲート電極とソース領域として働く他方のソース／ドレイン領域との間の電位差Ｖgsは、式（３）から以下の式（４）のように変形される。
【０２５７】
Ｖgs≒ＶSig_m−（ＶOfs−Ｖth）−ΔＶ      （４）
【０２５８】
尚、映像信号電圧ＶSigの書込みを行う走査信号の期間の長さは、表示素子１０や表示装置１の設計に応じて決定すればよい。また、このときの駆動トランジスタＴＲDの他方のソース／ドレイン領域における電位（ＶOfs−Ｖth＋ΔＶ）が以下の式（２’）を満足するように、走査信号の期間の長さは決定されているとする。
【０２５９】
表示素子１０にあっては、［期間−ＴＰ（２）7］において発光部ＥＬＰが発光することはない。この移動度補正処理によって、係数ｋ（≡（１／２）・（Ｗ／Ｌ）・Ｃox）のばらつきの補正も同時に行われる。
【０２６０】
（ＶOfs−Ｖth＋ΔＶ）＜（Ｖth-EL＋ＶCat）    （２’）
【０２６１】
［期間−ＴＰ（２）8］（図３２、及び、図３８参照）
駆動トランジスタＴＲDの一方のソース／ドレイン領域に電源部１００から駆動電圧ＶCC-Hが印加された状態を維持する。表示素子１０にあっては、書込み処理によって容量部Ｃ1に映像信号電圧ＶSig_mに応じた電圧が保持されている。走査線からの走査信号は終了しているので、書込みトランジスタＴＲWは非導通状態となる。従って、映像信号電圧ＶSig_mの駆動トランジスタＴＲDのゲート電極への印加が停止されることによって、書込み処理によって容量部Ｃ1に保持された電圧の値に応じた電流が駆動トランジスタＴＲDを介して発光部ＥＬＰに流れて発光部ＥＬＰが発光する。
【０２６２】
表示素子１０の動作について、より具体的に説明する。駆動トランジスタＴＲDの一方のソース／ドレイン領域に電源部１００から駆動電圧ＶCC-Hが印加された状態を維持しており、第１ノードＮＤ1は、データ線ＤＴＬnから電気的に切り離されている。従って、以上の結果として、第２ノードＮＤ2の電位は上昇する。
【０２６３】
ここで、上述したとおり、駆動トランジスタＴＲDのゲート電極は浮遊状態にあり、しかも、容量部Ｃ1が存在するが故に、所謂ブートストラップ回路におけると同様の現象が駆動トランジスタＴＲDのゲート電極に生じ、第１ノードＮＤ1の電位も上昇する。その結果、駆動トランジスタＴＲDのゲート電極とソース領域として働く他方のソース／ドレイン領域との間の電位差Ｖgsは、式（４）の値を保持する。
【０２６４】
また、第２ノードＮＤ2の電位が上昇し、（Ｖth-EL＋ＶCat）を超えるので、発光部ＥＬＰは発光を開始する。このとき、発光部ＥＬＰを流れる電流は、駆動トランジスタＴＲDのドレイン領域からソース領域へと流れるドレイン電流Ｉdsであるので、式（１）で表すことができる。ここで、式（１）と式（４）から、式（１）は、以下の式（５）のように変形することができる。
【０２６５】
Ｉds＝ｋ・μ・（ＶSig_m−ＶOfs−ΔＶ）2    （５）
【０２６６】
従って、発光部ＥＬＰを流れる電流Ｉdsは、基準電圧ＶOfsを０ボルトに設定したとした場合、発光部ＥＬＰにおける輝度を制御するための映像信号電圧ＶSig_mの値から、駆動トランジスタＴＲDの移動度μに起因した電位補正値ΔＶの値を減じた値の２乗に比例する。云い換えれば、発光部ＥＬＰを流れる電流Ｉdsは、発光部ＥＬＰの閾値電圧Ｖth-EL、及び、駆動トランジスタＴＲDの閾値電圧Ｖthには依存しない。即ち、発光部ＥＬＰの発光量（輝度）は、発光部ＥＬＰの閾値電圧Ｖth-ELの影響、及び、駆動トランジスタＴＲDの閾値電圧Ｖthの影響を受けない。そして、第（ｎ，ｍ）番目を構成する表示素子１０の輝度は、係る電流Ｉdsに対応した値である。
【０２６７】
しかも、移動度μの大きな駆動トランジスタＴＲDほど電位補正値ΔＶが大きくなるので、式（４）の左辺のＶgsの値が小さくなる。従って、式（５）において、移動度μの値が大きくとも、（ＶSig_m−ＶOfs−ΔＶ）2の値が小さくなる結果、駆動トランジスタＴＲDの移動度μのばらつき（更には、ｋのばらつき）に起因するドレイン電流Ｉdsのばらつきを補正することができる。これにより、移動度μのばらつき（更には、ｋのばらつき）に起因する発光部ＥＬＰの輝度のばらつきを補正することができる。
【０２６８】
そして、発光部ＥＬＰの発光状態を第（ｍ＋ｍ’−１）番目の水平走査期間まで継続する。この第（ｍ＋ｍ’−１）番目の水平走査期間の終期は、［期間−ＴＰ（２）-1］の終期に相当する。ここで、「ｍ’」は、１＜ｍ’＜Ｍの関係を満たし、表示装置１において所定の値である。換言すれば、発光部ＥＬＰは、［期間−ＴＰ（２）8］の始期から第（ｍ＋ｍ’）番目の水平走査期間Ｈm+m'の直前まで駆動され、この期間が発光期間となる。
【０２６９】
以上、好ましい実施例に基づき本発明を説明したが、本発明はこの実施例に限定されるものではない。実施例において説明した表示装置の構成や構造、表示装置の製造方法の工程、表示装置の駆動方法の工程は例示であり、適宜変更することができる。
【０２７０】
例えば、実施例１あるいは実施例２においては、駆動トランジスタＴＲDがｎチャネル型であるとして説明した。駆動トランジスタＴＲDをｐチャネル型トランジスタとする場合には、発光部ＥＬＰのアノード電極とカソード電極とを入れ替えた結線をすればよい。尚、この構成にあってはドレイン電流の流れる向きが変わるので、給電線ＰＳ１等に供給される電圧の値等を適宜変更すればよい。
【０２７１】
また、図３９に示すように、表示素子１０を構成する駆動回路１１が、第１ノードＮＤ1に接続されたトランジスタ（第１トランジスタＴＲ1）を備えている構成であってもよい。第１トランジスタＴＲ1においては、一方のソース／ドレイン領域は、基準電圧ＶOfsが印加され、他方のソース／ドレイン領域は、第１ノードＮＤ1に接続されている。第１トランジスタ制御線ＡＺ１を介して第１トランジスタ制御回路１０３からの制御信号が第１トランジスタＴＲ1のゲート電極に印加され、第１トランジスタＴＲ1の導通状態／非導通状態を制御する。これにより、第１ノードＮＤ1の電位を設定することができる。
【０２７２】
更には、表示素子１０を構成する駆動回路１１が、上述した第１トランジスタＴＲ1に加えて別のトランジスタを備えていてもよい。図４０に、第２トランジスタＴＲ2、第３トランジスタＴＲ3を備えた構成を示す。第２トランジスタＴＲ2においては、一方のソース／ドレイン領域は、初期化電圧ＶCC-Lが印加され、他方のソース／ドレイン領域は、第２ノードＮＤ2に接続されている。第２トランジスタ制御線ＡＺ２を介して第２トランジスタ制御回路１０４からの制御信号が第２トランジスタＴＲ2のゲート電極に印加され、第２トランジスタＴＲ1の導通状態／非導通状態を制御する。これにより、第２ノードＮＤ2の電位を初期化することができる。第３トランジスタＴＲ3は、駆動トランジスタＴＲDの一方のソース／ドレイン領域と給電線ＰＳ１との間に接続されており、第３トランジスタ制御線ＣＬを介して第３トランジスタ制御回路１０５からの制御信号が第３トランジスタＴＲ3のゲート電極に印加される。
【符号の説明】
【０２７３】
ＴＲW・・・書込みトランジスタ、ＴＲD・・・駆動トランジスタ、ＴＲ1・・・第１トランジスタ、ＴＲ2・・・第２トランジスタ、ＴＲ3・・・第３トランジスタ、Ｃ1・・・容量部、ＥＬＰ・・・有機エレクトロルミネッセンス発光部、ＣEL・・・発光部ＥＬＰの容量、ＮＤ1・・・第１ノード、ＮＤ2・・・第２ノード、ＳＣＬ・・・走査線、ＤＴＬ・・・データ線、ＰＳ１・・・給電線、ＰＳ２・・・第２の給電線、ＡＺ１・・・第１トランジスタ制御線、ＡＺ２・・・第２トランジスタ制御線、ＣＬ・・・第３トランジスタ制御線、１，２・・・表示装置、１０・・・表示素子、１１・・・駆動回路、２０・・・表示パネル、２１・・・支持体、２２・・・基板、３１・・・ゲート電極、３２・・・ゲート絶縁層、３３・・・半導体層、３４・・・チャネル形成領域、３５，３５・・・ソース／ドレイン領域、３６・・・他方の電極、３７・・・一方の電極、３８，３９・・・配線、４０・・・層間絶縁層、５１・・・アノード電極、５２・・・正孔輸送層、発光層及び電子輸送層、５３・・・カソード電極、５４・・・第２層間絶縁層、５５，５６・・・コンタクトホール、１００・・・電源部、１０１・・・走査回路、１０２・・・信号出力回路、１０３・・・第１トランジスタ制御回路、１０４・・・第２トランジスタ制御回路、１０５・・・第３トランジスタ制御回路、１１０・・・輝度補正部、１１１・・・映像信号生成部、１１２・・・基準動作時間値計算部、１１３・・・動作時間換算係数格納部、１１４・・・デューティ比加速係数格納部、１１５・・・累積基準動作時間値保持部、１１６・・・階調補正量保持部、１１６Ａ・・・階調補正量計算部、１１６Ｂ・・・階調補正量格納部、１１７・・・基準カーブ格納部、１１９・・・デューティ変化値保持部、２１０・・・輝度補正部、２１２・・・基準動作時間値計算部、２１４・・・温度加速係数格納部、２２０・・・温度センサ
【図１】
0005625864.tif 000002
【図２】
0005625864.tif 000003
【図３】
0005625864.tif 000004
【図４】
0005625864.tif 000005
【図５】
0005625864.tif 000006
【図６】
0005625864.tif 000007
【図７】
0005625864.tif 000008
【図８】
0005625864.tif 000009
【図９】
0005625864.tif 000010
【図１０】
0005625864.tif 000011
【図１１】
0005625864.tif 000012
【図１２】
0005625864.tif 000013
【図１３】
0005625864.tif 000014
【図１４】
0005625864.tif 000015
【図１５】
0005625864.tif 000016
【図１６】
0005625864.tif 000017
【図１７】
0005625864.tif 000018
【図１８】
0005625864.tif 000019
【図１９】
0005625864.tif 000020
【図２０】
0005625864.tif 000021
【図２１】
0005625864.tif 000022
【図２２】
0005625864.tif 000023
【図２３】
0005625864.tif 000024
【図２４】
0005625864.tif 000025
【図２５】
0005625864.tif 000026
【図２６】
0005625864.tif 000027
【図２７】
0005625864.tif 000028
【図２８】
0005625864.tif 000029
【図２９】
0005625864.tif 000030
【図３０】
0005625864.tif 000031
【図３１】
0005625864.tif 000032
【図３２】
0005625864.tif 000033
【図３３】
0005625864.tif 000034
【図３４】
0005625864.tif 000035
【図３５】
0005625864.tif 000036
【図３６】
0005625864.tif 000037
【図３７】
0005625864.tif 000038
【図３８】
0005625864.tif 000039
【図３９】
0005625864.tif 000040
【図４０】
0005625864.tif 000041
【図４１】
0005625864.tif 000042